(57)【要約】      （修正有）【課題】遊技機において、遊技盤を合理的に取付けるのに資する技術を提供する。【解決手段】遊技機本体部２０３の取付枠２１１ａと、取付枠に取り付けられる遊技盤２２１とを備えた遊技機であって、遊技盤は、その一側縁が取付枠の一側縁に結合されて当該取付枠に対して開いた第１の位置Ａと閉じた第２の位置Ｂとの間で開閉回動可能とされるとともに、第２の位置へ回動された状態で当該遊技盤の前面に備えたロック操作手段２５１により取付枠に解除自在に止着される構成としたことを特徴とする遊技機。【選択図】図１
2010115509.tif 000002
【特許請求の範囲】
【請求項１】
遊技機本体部の取付枠と、前記取付枠に取り付けられる遊技盤とを備えた遊技機であって、  前記遊技盤は、その一側縁が前記取付枠の一側縁に結合されて当該取付枠に対して開いた第１の位置と閉じた第２の位置との間で開閉回動可能とされるとともに、前記第２の位置へ回動された状態で当該遊技盤の前面に備えたロック操作手段により前記取付枠に解除自在に止着される構成としたことを特徴とする遊技機。
【発明の詳細な説明】
【技術分野】
【０００１】
本発明は、パチンコ、アレンジボール等の遊技機における遊技盤の合理的な取付け技術に関する。
【背景技術】
【０００２】
遊技機における遊技盤の取付け技術に関する一例が特許文献１（特開２００１−３２７７１７号公報）に開示されている。この開示文献においては、遊技機の遊技盤を、取付枠に回動自在に取り付けられた保持部に収容した後、当該保持部を遊技盤とともに取付枠に向かって水平状に回動させて当該取付枠に止着する技術が記載されている。  
【０００３】
上記開示技術は、保持部に遊技盤の一側縁部を挿入することによって当該保持部と遊技盤とを一体化し、その状態で保持部と共に遊技盤を取付枠側へ回動させた後、取付枠の前面領域に配置されたストッパ部材からなるロック操作手段を介して取付枠に止着する構成を採用することで、取付枠に対する遊技盤の止着容易性を追求したものである。しかしながら、取付枠の前面領域は、上方および側方については、取付枠の外周輪郭とそのすぐ内側に形成された遊技盤装着用の開口部との間の狭い領域であり、また下方については上記開口と上皿ユニットとに挟まれた狭い領域である。このようなことから、狭いスペースの前面領域にロック操作手段を配置する構成では、当該ロック操作手段を配置するためのスペースを確保することが難しく、必然的にロック操作手段が精々２本の指先で掴める程度の小さいものとなり、止着能力あるいは操作性の点において、なお改良すべき余地がある。このようなことから、遊技盤を取付枠に対して合理的に止着する技術の開発が要請される。
【先行技術文献】
【特許文献】
【０００４】
【特許文献１】特開２００１−３２７７１７号公報
【発明の概要】
【発明が解決しようとする課題】
【０００５】
本発明は、かかる点に鑑みてなされたものであり、遊技機において遊技盤を合理的に取付けるのに資する技術を提供することを目的とする。
【課題を解決するための手段】
【０００６】
上記課題を達成するため、請求項１に記載の発明が構成される。  請求項１に記載の発明によれば、遊技機本体部の取付枠と、取付枠に取り付けられる遊技盤とを備えた遊技機が構成される。遊技機としては、典型的には、パチンコ機やアレンジボール機等がこれに該当する。本発明に係る遊技機では、遊技盤は、その一側縁が前記取付枠の一側縁に結合されて当該取付枠に対して開いた第１の位置と閉じた第２の位置との間で開閉回動可能とされている。また遊技盤は、第２の位置へ回動された状態で当該遊技盤の前面に備えたロック操作手段により取付枠に解除自在に止着される構成とされる。
【０００７】
なお、「一側縁」とは、典型的には、遊技機の前面側から見て左側縁がこれに該当するが、左側縁の他、右側縁あるいは下縁を包含する。また「結合」の態様としては、ピンとガイド溝とのはめ込みを介して回動自在に結合される態様、あるいはピンと孔とのはめ合いを介して回動自在に結合される態様、またはいわゆるヒンジ（蝶番）を介して回動自在に結合される態様等がこれに該当する。また「閉じた第２の位置」とは、完全に閉じた位置は勿論のこと、完全に閉じた位置に至る直前の位置をも包含する概念である。
【０００８】
上記のように、遊技盤の前面にロック操作手段を備える構成の本発明によれば、遊技盤の前面領域を十分に活用してロック操作手段の配置スペースを形成することができる。すなわち、取付枠にロック操作手段を配置する従来の構成であれば、取付枠の限られた広さの前面領域（枠幅内）にロック操作手段の配置スペースを確保しなければならない、といった制約を受けるが、本発明のように遊技盤の前面にロック操作手段を配置する構成としたときは、取付枠に比べて比較的広いスペースを容易に確保することが可能となり、その結果として、ロック操作手段を比較的大きいサイズに形成することが可能となる。ロック操作手段の大型化は、取付枠に対する遊技盤の止着能力を高めるとともに、止着操作あるいは止着解除操作の操作性を向上する上で有効となる。これにより、遊技盤を取付枠に取り付ける際の作業性を合理的に向上することが可能となる。
【発明の効果】
【０００９】
本発明によれば、遊技機において遊技盤を合理的に取付けるのに資する技術が提供されることとなった。
【図面の簡単な説明】
【００１０】
【図１】本発明の実施形態に係る遊技機の全体を示す斜視図であり、遊技盤が遊技盤着脱位置に位置している状態を示す。
【図２】同じく遊技機の全体を示す斜視図であり、遊技盤が遊技盤止着位置に位置している状態を示す。
【図３】遊技機本体部および取付枠を前面側から見た斜視図である。
【図４】遊技機本体部および取付枠を背面側から見た斜視図である。
【図５】上部側のピンガイド溝およびコネクタの向き矯正手段を示す斜視図である。
【図６】下部側のピンガイド溝を示す斜視図である。
【図７】遊技盤を前面側から見た斜視図である。
【図８】遊技盤を背面側から見た斜視図である。
【図９】左側縁部の遊技盤側コネクタの位置調整構造を説明する斜視図である。
【図１０】同じく左側縁部の遊技盤側コネクタを遊技機背面側から見た概略図である。
【図１１】同じく左側縁部の遊技盤側コネクタの位置調整構造を示す概略縦断面図である。
【図１２】右側縁部の遊技盤側コネクタの位置調整構造を説明する図であり、遊技機背面側から見た概略図である
【図１３】同じく右側縁部の遊技盤側コネクタの位置調整構造を説明する概略縦断面図である。
【図１４】同じく右側縁部の遊技盤側コネクタの位置調整構造を説明する概略平断面図である。
【図１５】遊技盤側ロック手段を示す斜視図である。
【図１６】遊技盤側ロック手段によるロック（止着）状態を示す断面図である。
【図１７】取付ピンとピンガイド溝とのはめ込み態様を平面的に示す模式図である。
【図１８】取付枠側コネクタの向き矯正手段を説明する断面図である。
【図１９】取付枠側コネクタの向き矯正作用を平面的に示す模式図である。
【図２０】変更例１を説明するための平面的に示す模式図である。
【図２１】変更例２を説明するための平面的に示す模式図である。
【図２２】変更例３を説明するための遊技機背面側から見た断面図である。
【図２３】変更例３を説明するための遊技機側面方向から見た断面図である。
【図２４】変更例４を説明するための遊技機側面方向から見た断面図である。
【図２５】変更例４を説明するための遊技機背面側から見た概略図である
【図２６】本発明の第２の実施形態である遊技機の全体構成を斜視図として示す。図２６では遊技盤が止着された状態が示される。
【図２７】遊技盤支持部材および取付枠を含む遊技機本体部の構成を正面図として示す。図２７では遊技盤が止着されていない状態が示される。
【図２８】図２７におけるＡ−Ａ線断面を平面視で示す。
【図２９】遊技盤支持部材の詳細な構造を斜視図として示す。
【図３０】遊技盤の構造を正面図として示す。
【図３１】遊技盤の構造を側面図として示す。
【図３２】遊技盤の構造を平面図として示す。
【図３３】遊技盤が止着された状態の遊技機を背面側からの斜視図として示す。
【発明を実施するための形態】
【００１１】
（第１の実施形態）  以下、本発明の実施の形態である遊技機２０１につき図面を参照しつつ詳細に説明する。本実施の形態では、遊技機２０１としてパチンコ機が用いられている。図１および図２に示すように、外枠２０５に遊技機本体部２０３が取り付けられている。遊技機本体部２０３は、前面枠２１１を備え、この前面枠２１１の裏面側（奥側）に遊技盤２２１を取り付けるための取付枠２１１ａが一体に形成されている。なお取付枠２１１ａは前面枠２１１とは別体で形成してもよい。上記の取付枠２１１ａが本発明における「取付枠」に対応する。また前面枠２１１には、図示については省略しているが、機構板、ガラス扉枠、前板等が取り付けられ、これらによって遊技機本体部２０３が構成されている。なお、図１では着脱位置の遊技盤２２１が示され、図２では止着位置の遊技盤２２１が示されている。  遊技機本体部２０３を構成する各要素のうち、取付枠２１１ａの構成が図３〜図６に示される。なお、図３〜図６では遊技盤２２１が結合されていない状態が示されている。また遊技盤２２１の詳細な構造が図７〜図９に示される。なお、以下の説明における左右および前後は、遊技機を前方から見たときの方向である。
【００１２】
遊技盤２２１は、前面枠２１１の前面側から取付枠２１１ａに取り付けられる構成とされ、概略的には、以下のような作業を行うことで取り付けられる。作業者は、まず第１段階として、遊技盤２２１の左側縁部に設けた上下の取付ピン２２７（図７あるいは図８参照）を、取付枠２１１ａの左側縁部に設けた上下のピンガイド溝２１５（図５および図６参照）にそれぞれはめ込んで移動させる。これにより遊技盤２２１は、上下の取付ピン２２７と上下のピンガイド溝２１５とのはめ込み動作を介して取付枠２１１ａに結合されて遊技盤着脱位置Ａ（図１参照）に位置する。次に、第２段階として、取付ピン２２７を支点にして遊技盤２２１を右側縁部側が取付枠２１１ａの右側縁部側に向かうように水平に回動させる。これにより、遊技盤２２１を取付枠２１１ａ内の止着すべき遊技盤止着位置Ｂ（図２参照）に移動する。次に、第３段階として、遊技盤止着位置Ｂへ移動された遊技盤２２１を取付枠２１１ａにロック手段２５１，２５３を介して止着する。以上の３段階の作業を行うことで取付枠２１１ａに対し遊技盤２２１が取り付けられる構成とされる。上記の左側縁部が本発明における「一側縁」に対応する。
【００１３】
次に遊技盤２２１を取付枠２１１ａに結合する第１の段階と、遊技盤２２１を止着すべき位置へ回動さえる第２の段階とを実現するための取付構造を具体的に説明する。  図７および図８に示すように、遊技盤２２１は、その前面部（正面部）が概ね円形状に配置されるレールで囲まれた遊技領域２２３によって形成される。なお、遊技盤領域２３３に配設されるべき釘、入賞部、ゲート部等の盤面構成要素および表示装置等については、便宜上、図示および説明を省略する。そして遊技盤２２１の左側縁部の上端および下端には、当該遊技盤２２１の取付枠２１１ａへの取付手段として、上下方向を軸方向とする円柱形状の取付ピン２２７を一体に備えた固定金具２２５が固着されている。本実施の形態では、上下の固定金具２２５には、それぞれ２本の取付ピン２２７が左右方向に所定間隔を置いて横並びに配置されている。
【００１４】
一方、図３、図５および図６に示すように、取付枠２１１ａの左側縁部の上部と下部には、遊技盤２２１の取付ピン２２７をはめ込むためのピンガイド溝２１５を備えた固定金具２１３が固着されている。なお、上下のピンガイド溝２１５は、平面視で同一形状に形成されている。ピンガイド溝２１５は、図６に詳細に示すように、取付枠２１１ａの前面（正面）側に形成され
たピンはめ込み用の開口部２１５ａと、取付枠２１１ａの正面に対して所定の傾斜角度で左奥側に向かって直線状に延在するピン案内用の直線領域部２１５ｂと、直線領域部２１５ｂの端部（奥側）に連続して形成されたフック状の折返し部２１５ｃとを有する。
【００１５】
なお、フック状の折返し部２１５ｃは、図１７に示すＸ点を中心とする円弧状に形成され、２本の取付ピン２２７の回動を許容するピン回動部を構成している。またピンガイド溝２１５の開口部２１５ａは、取付ピン２２７のはめ込み（進入）を容易にするために間口がピンガイド溝２１５よりも幅広に広げられてピン誘導部２１５ｄが形成されている。
【００１６】
次に、取付枠２１１ａに対する遊技盤２２１の取付作業の第１段階を図１７に基づいて説明する。作業者が遊技盤２２１を持ち、２本の取付ピン２２７をピンガイド溝２１５の開口部２１５ａから直線領域部２１５ｂ内に嵌め込んで移動（スライド）させる（図１７の２点鎖線参照）と、先行する取付ピン２２７が直線領域部２１５ｂの端部（折り返し点）に到達するまでの間は、２本の取付ピン２２７が直線領域部２１５ｂに移動方向の前後２箇所で摺接しつつ、すなわち回動を規制された状態で直線的に移動される。したがって、この間、遊技盤２２１は取付枠２１１ａに対して所定の傾斜角度（ピンガイド溝２１５の傾斜角度）を保持された状態で直線的に移動され、取付枠２１１ａに対して右側縁部が離れた状態で結合される。かくして、遊技盤２２１の取付作業における第１段階の作業が行われたことになり、この状態が図１に示されている。
【００１７】
次に、取付作業の第２段階を説明する。上記の結合状態では、先行する取付ピン２２７が直線領域部２１５ｂの端部（折り返し点）に到達する（図１７の実線参照）。この位置で取付ピン２２７の回動規制が解除される。したがって、遊技盤２２１の右側縁部を取付枠２１１ａの右側縁部に向かって押し動かすと、先行する取付ピン２２７がフック状の折返し部２１５ｃに沿って円弧状に移動されて折り返し端部に達する。このとき、後続の取付ピン２２７が直線領域部２１５ｂ内をそれまでの進入位置からやや後退し、両取付ピン２２７が直線領域部２１５ｂと折り返し端部との間に形成された境界部２１５ｅを跨ぐように位置する（図１７の破線参照。）
【００１８】
すなわち、前後２本の取付ピン２２７が境界部２１５ｅを挟んで対向状に位置し、この位置では、両取付ピン２２７は回動復帰方向以外の方向（遊技機本体から見て左右方向および前後方向）へ移動することが規制される。上記の境界部２１５ｅによって「移動規制部」が構成されている。上記のような２本の取付ピン２２７の動き（回動）により、遊技盤２２１は、折返し部２１５ｃの円弧中心であるＸ点を回動中心として水平状に回動され、取付枠２１１ａ内の止着すべき位置へ移動される。かくして、遊技盤２２１の取付作業における第２段階の作業が行われたことになり、この状態が図２に示されている。
【００１９】
このように、遊技盤２２１は取付ピン２２７とピンガイド溝２１５との直線移動によるはめ込み動作を介して取付枠２１１ａに結合され、その結合状態で、図１に示す取付枠２１１ａから離間した開放位置（以下、遊技盤着脱位置Ａという）と、図２に示す取付枠２１１ａに近接した閉鎖位置（以下、遊技盤止着位置Ｂという）との間で開閉回動（以下、単に回動という）する。なお、遊技盤着脱位置Ａは、本発明における「第１の位置」に対応し、遊技盤止着位置Ｂは、本発明における「第２の位置」に対応する。
【００２０】
上記のように、本実施の形態では、遊技盤２２１と取付枠２１１ａとの間に設定された、取付ピン２２７とピンガイド溝２１５とのはめ込み動作を介して遊技盤２２１を取付枠１１に結合する構成としたものである。したがって、ピンガイド溝２１５に取付ピン２２７をはめ込んで所定位置まで移動した後、遊技盤２２１を取付枠２１１ａ側に向かって回動させるといった簡単な操作を行うことで、遊技盤２２１の取付枠２１１ａへの取付作業を合理的に行うことが可能となる。しかも、遊技盤２２１を取付枠２１１ａに取付ピン２２７とピンガイド溝２１５を介して取り付ける構成のため、部品点数を少なくして構造の簡素化を図ることができる。
【００２１】
また、本実施の形態によれば、遊技盤２２１をピンガイド溝２１５と取付ピン２２７とのはめ込み動作取付枠２１１ａに結合する構造において、遊技盤２２１は、取付ピン２２７がピンガイド溝２１５の終端部に位置したとき、すなわち遊技盤着脱位置Ａに位置したときに限り遊技盤止着位置Ｂへ回動できる構成とされ、はめ込み動作の途中では回動できない構成としている。このため、はめ込み途中において、遊技盤２２１が不測に取付枠側２１１へ回動し、取付枠２１１ａに干渉して傷付くといった問題を未然に回避することができるとともに、遊技盤２２１を取付枠２１１ａの適正取付位置へ回動して止着することができる。
【００２２】
次に、第３の段階としての、遊技盤止着位置Ｂへ回動された遊技盤２２１を取付枠２１１ａに止着する作業を実現するための止着構成を説明する。取付枠２１１ａの右側縁部の下方領域と、遊技盤２２１の遊技領域２２３から外れた、いわゆるデッドスペースとしての右側縁部の上方領域には、遊技盤２２１を止着するために、それぞれロック手段２４１，２５１が備えられる。以下、ロック手段２４１，２５１について説明する。
【００２３】
取付枠２１１ａ側のロック手段２４１は、図１および図２に示すように、取付枠２１１ａの正面に直交する水平軸２４５を回動中心として左右方向に回動操作可能とされたロックハンドル２４３を主体に構成される。このロックハンドル２４３は、遊技盤２２１を取付位置へ回動したとき、当該遊技盤２２１の遊技領域２２３から外れた右側縁下方領域に設けたロック孔２２９から前方へ突出される。このロックハンドル２４３を、マニュアルで回動操作することにより、ロック孔２２９の孔周縁部２２９ａに対して当該孔周縁部２２９ａを取付枠２１１ａ側に加圧した状態で着脱自在に係合し、遊技盤２２１の下縁部を止着する。
【００２４】
一方、遊技盤２２１側のロック手段２５１は、図１５および図１６に示すように、遊技盤面に平行な水平軸２５５を回動支点として前後方向に回動操作可能とされたロックハンドル２５３を主体にして構成される。上記の遊技盤２２１側のロック手段２５１が本発明の請求項１、態様１、態様２、態様１６および態様１７における「ロック操作手段」に対応する。このロックハンドル２５３は、上端部にロック部２５３ａを有し、下部側に操作摘み２５３ｂを有する構成とされ、ロック部２５３ａが取付枠２１１ａ側に形成された係止片２５７に対して背面側から押圧付勢（相対的に遊技盤２２１を取付枠２１１ａ側に向かって加圧）しつつ係合することで遊技盤２２１の上縁部を止着する。この止着状態は、操作摘み２５３ｂ側に設けた係止爪２５３ｃが遊技盤２２１に形成された係止部２２１ａに対して弾性変形を利用して係止することで保持される構成とされる。なお、係止片２５７は取付枠２１１ａに固着された金属プレートに形成され、また係止部２２１ａは遊技盤２２１に固着された金属プレートに形成される。
【００２５】
かくして、遊技盤２２１は、左側縁部の上下２箇所を取付枠２１１ａの左側縁部に対して取付ピン２２７とピンガイド溝２１５とのはめ込み動作を介して結合されるとともに、右側縁部の上下２箇所をロックハンドル２４３，２５３によって止着されることで取付枠２１１ａに取り付けられる。
【００２６】
なお、ロックハンドル２５３による止着解除は、係止爪２５３ｃの係止部２２１ａに対する係止を解除して当該ロックハンドル２５３を手前に引き出すことで行われ、その状態で手前に引くことで遊技盤２２１を取付枠２１１ａから離れる方向へ回動させることができる（図１５参照）。すなわち、ロックハンドル２５３は、遊技盤２２１の取り外し用の取手を兼用する構成とされ、止着解除のための操作方向が遊技盤２２１を遊技盤止着位置Ｂから遊技盤着脱位置Ａへ回動させる方向に一致する合理的な構成が実現されている。
【００２７】
上記のように、本実施の形態では、ロックハンドル２５３を、遊技盤２２１の前面に配置する構成、特に遊技領域２２３から外れたデッドスペースとしての右側縁部の上方領域を利用して配置する構成としたことにより、従来の取付枠に配置する構成に比べて、ロックハンドル２５３の配置スペースとして比較的広いスペースを確保することが可能となる。その結果、ロックハンドル２５３を比較的大きいサイズに形成して取付枠に対する遊技盤の止着能力を高めるとともに、止着操作あるいは止着解除操作の操作性を向上することができる。
【００２８】
また、本実施の形態においては、遊技盤２２１の遊技盤止着位置Ｂないしその近傍におけるロックハンドル２５３の止着あるいは止着解除のための操作方向が、遊技盤２２１の遊技盤止着位置Ｂないしその近傍における開閉のための押圧あるいは引張り方向と概ね一致する構成としている。より具体的には、遊技盤２２１を止着するためのロックハンドル２５３の回動操作における遊技盤止着位置Ｂないしその近傍での止着のための押圧方向が、遊技盤２２１の回動動作における遊技盤止着位置Ｂないしその近傍での閉鎖のための押圧方向と概ね一致し、遊技盤２２１の止着を解除するためのロックハンドル２５３の回動動作における遊技盤止着位置Ｂないしその近傍での止着解除のための引張り方向が、遊技盤２２１の回動動作における遊技盤止着位置Ｂないしその近傍での開放のための引張り方向と概ね一致する構成としている。このため、ロックハンドル２５３による遊技盤２２１の止着作業あるいは止着解除作業を遊技盤２２１の回動動作との関係において一連の連続した作業形態として合理的に行うことができる。これにより、取付枠２１１ａに対する遊技盤２２１の取り付け作業あるいは取り外し作業の作業性が向上される。
【００２９】
また、本実施の形態では、ロックハンドル２５３と取手とを兼用する構成としたものであり、そして取手を用いて行う遊技盤２２１の遊技盤止着位置Ｂないしその近傍での開閉のための押圧あるいは引張り方向が、遊技盤２２１の止着あるいは止着解除のための行なわれるロックハンドル２５３の操作方向と概ね一致するように構成している。より具体的には、取手による遊技盤２２１の回動動作における遊技盤止着位置Ｂないしその近傍での閉鎖のための押圧方向は、ロックハンドル２５３の回動操作における遊技盤止着位置Ｂないしその近傍での止着のための押圧方向と概ね一致し、取手による遊技盤２２１の回動動作における遊技盤止着位置Ｂないしその近傍での開放のための引張り方向は、ロックハンドル２５３の回動操作における遊技盤止着位置Ｂないしその近傍での止着解除のための引張り方向と概ね一致する構成としている。これにより無駄のない連続した動作で遊技盤２２１の取付作業あるいは取り外し作業を行うことができる。このため、作業性の向上を図ることができる。上記取手が本発明の態様４〜態様８における「取手」に対応する。
【００３０】
次に、遊技盤２２１側に配置される電気機器と、取付枠２１１ａ側に配置される電気機器とを接続するコネクタにつき説明する。遊技盤２２１は、背面側の左側縁部上方領域に遊技盤側コネクタ２３７ａを備えており（図８参照）、これに対応して取付枠２１１ａの左側縁部上方領域に取付枠側コネクタ２７３ａが配置されている（図３および図５参照）。遊技盤側コネクタ２３７ａと取付枠側コネクタ２７３ａは、概ね左右方向を係脱方向（抜き差し方向）とする一対の雄雌形状に構成され、上述した遊技盤２２１を取付枠２１１ａに結合する動作（遊技盤着脱位置Ａへの移動動作）を介して、ワンタッチ状に係合可能とされる。  また遊技盤２２１の右側縁部上方領域には、遊技盤側コネクタ２３７ｂが配置され（図８参照）、これに対応して取付枠２１１ａの右側縁部上方領域には、取付枠側コネクタ２７３ｂが配置される（図４参照）。遊技盤側コネクタ２３７ｂと取付枠側コネクタ２７３ｂは、概ね前後方向を係脱方向（抜き差し方向）
とする一対の雄雌形状に構成され、上述した遊技盤２２１の遊技盤止着位置Ｂ（図１参照）への回動動作を介して、ワンタッチ状に係合可能とされる。
【００３１】
なお、各コネクタ２３７ａ，２３７ｂ，２７３ａ，２７３ｂの内部には複数の電気接点が配置され、当該対応するコネクタ２３７ａ，２３７ｂ，２７３ａ，２７３ｂの係合により、電気接点同士が接続され、遊技盤２２１側の電気機器と遊技機本体部２０３側の電気機器が相互に電気的に接続される。遊技盤２２１側の電気機器としては、例えば、表示装置，音声装置ないし発光装置を駆動制御するのに用いられるメイン基板やサブ基板がこれに該当し、遊技機本体部２０３側の電気機器としては、例えば、電源基板，賞球払い出し装置制御用基板あるいは発射装置制御用基板等がこれに該当する。
【００３２】
上記コネクタのうち、取付枠２１１ａの左側縁部に配置される取付枠側コネクタ２７３ａは、コネクタホルダ２６１を介して取付枠２１１ａに水平面内での回動可能に取り付けられ、遊技盤２２１を取付枠２１１ａに結合する際に、遊技盤側コネクタ２３７ａの向きに対して当該取付枠側コネクタ２７３ａの向きを一致すべく矯正される構成となっている。
【００３３】
以下、取付枠側コネクタ２７３ａの向きを矯正するコネクタ矯正手段を図５、図１８および図１９に基づいて説明する。コネクタホルダ２６１は、図５に示すように、支軸２６３を介して取付枠２１１ａに回動可能に取り付けられている。またコネクタホルダ２６１の上部には水平なプレート２６５が設けられ、そのプレート２６５には、遊技盤２２１を取付枠２１１ａに結合する際に、当該遊技盤２２１の上端側の取付ピン２２７がはまり込むためのピン係合溝２６７が形成されている。なお、プレート２６５は、前述したピンガイド溝２１５が形成された固定金具２１３の下面に積層状に配置されている。ピン係合溝２６７は、右側にピンはめ込み用の開口部２６７ａを有するとともに左右方向に直線状に延在され、その延在方向が取付枠側コネクタ２７３ａの向き（係合方向）に対して平行に設定されている。そして遊技盤２２１の取付枠２１１ａへの結合前の状態では、図示省略のバネによって開口部２６７ａがピンガイド溝２１５の開口部２１５ａと上下方向において概ね重なり合う位置であって、かつピン係合溝２６７の延在方向がピンガイド溝２１５の直線領域部２１５ｂの延在方向に対して交差する位置、すなわち初期位置に付勢保持されている（図１９に実線で示す）。
【００３４】
これにより、取付ピン２２７をピンガイド溝２１５にはめ込むとき、当該取付ピン２２７がピン係合溝２６７にも確実にはまり込むことができる。また、ピン係合溝２６７の開口部２６７ａは、取付ピン２２７のはめ込み（進入）を容易にするために間口がピン係合溝２６７よりも幅広に広げられてピン誘導部２６７ｂが形成されている（図１９参照）。
【００３５】
一方、遊技盤側コネクタ２３７ａは、その向き（係合方向）がピンガイド溝２１５の直線領域部２１５ｂの延在方向と平行に設定されている。このため、図１９に示すように、遊技盤２２１を取付枠２１１ａに結合すべく、遊技盤２２１の取付ピン２２７を取付枠２１１ａのピンガイド溝２１５にはめ込むと、当該取付ピン２２７はコネクタホルダ２６１のピン係合溝２６７にもはまり込む。そして取付ピン２２７がピンガイド溝２１５の直線領域部２１５ｂを直線的に移動すると、当該取付ピン２２７はピン係合溝２６７の延在方向がピンガイド溝２１５の直線領域部２１５ｂの延在方向に向くようにバネ力に抗してプレート２６５を加圧する。これによりコネクタホルダ２６１が支軸２６３を支点にして水平面内で回動され、コネクタ２７３ａの向きが矯正される（図１９に２点鎖線で示す）。上記の取付ピン２２７が「加圧部」を構成し、ピン係合溝２６７を有するプレート２６５が「被加圧部」を構成している。なお、コネクタホルダ２６１の支軸２６３を介して回動中心は、遊技盤２２１の回動中心線（図１７および図１９に示すＸ点）上に設定されている。
【００３６】
このように、本実施の形態においては、取付ピン２２７がピンガイド溝２１５の直線領域部２１５ｂを移動する途中でピン係合溝２６７の延在方向がピンガイド溝２１５ｂの直線領域部２１５ｂの延在方向と一致することにより、取付枠側コネクタ２３７ａと遊技盤側コネクタ２７３ａの係合方向が一致する構成とされ、そして係合方向が一致後、取付枠側コネクタ２７３ａと遊技盤側コネクタ２３７ａとの係合が行なわれる。
【００３７】
なお、遊技盤２２１および取付枠２１１ａにおける寸法公差ないし組み付け誤差等の影響により、遊技盤２２１を取付枠２１１ａに結合する際、あるいは遊技盤２２１が遊技盤止着位置Ｂへと回動する際、遊技盤側コネクタ２３７ａと取付枠側コネクタ２７３ａ、あるいは遊技盤側コネクタ２３７ｂと取付枠側コネクタ２７３ｂが相対的に位置ずれを起こし、うまく係合できない場合が生じ得る。このような場合に対処するべく、遊技盤側コネクタ２３７ａ，２３７ｂの遊技盤２２１への取付部、取付枠側コネクタ２７３ａ，２７３ｂの取付枠２１１ａへの取付部に関しては、それらの全部または一部につき、取付部に対する上下方向、左右方向あるいは前後方向の位置関係が適宜シフトする構成とし、係合に際しコネクタの位置を適宜変化させ、コネクタ同士の位置関係の微調整を可能とする構成としている。
【００３８】
このようなコネクタの取付部に対する微調整を可能とする構成が、遊技盤２２１の背面側の左側縁部上方領域に配置される遊技盤側コネクタ２３７ａおよび右側縁部上方領域に配置される遊技盤側コネクタ２３７ｂについてそれぞれ実現されている。まず、遊技盤２２１の左側縁部上方領域に配置される遊技盤側コネクタ２３７ａの取付構造を図９〜図１１に基づいて説明する。なお、本実施の形態では、２個の遊技盤側コネクタ２３７ａを上下に配置した場合を示している。遊技盤２２１には、合成樹脂製のコネクタホルダ２７５が固着され、当該コネクタホルダ２７５は、前後方向に延在する上下一対の係合溝２７５ａを備えている。コネクタ２３７ａは、直方体状のコネクタ本体部２３７ａ２と、当該コネクタ本体部２３７ａ２に連接する上下のフランジ部２３７ａ１を有する。そしてコネクタ２３７ａは、フランジ部２３７ａ１がコネクタホルダ２７５の係合溝２７５ａに背面側から差し込まれ、図１１において左右方向（コネクタの係脱方向）の動きを規制された状態で、前後および上下方向の動き、すなわち面方向の移動が許容される構成とされる（図９および図１１参照）。
【００３９】
そして、コネクタホルダ２７５には、コネクタ本体部２３７ａの外周形状よりも大きい内周形状を有する合成樹脂製のコネクタ保持枠部２７７が取り付けられ、このコネクタ保持枠部２７７内にコネクタ本体部２３７ａ２が遊嵌状に嵌合されている。すなわち、コネクタ２３７ａは、コネクタ本体部２３７ａ２の外周面がコネクタ保持枠部２７７の内周面に対して所定の隙間Ｃ１（図１０参照）を保有しており、その隙間Ｃ１の範囲内で上下および前後方向（係合方向と交差する面方向）のシフトが可能とされている。これにより、遊技盤側コネクタ２３７ａと取付枠側コネクタ２７３ａとの係合時において、両コネクタ２３７ａ，２７３ａの相対的な位置ずれが調整される構成となっている。上記の上下および前後方向が本発明における「面方向」に対応する。
【００４０】
コネクタ保持枠部２７７は、コネクタホルダ２７５に形成された枠取付部２７５ｂに向かってコネクタ２３７ａの係合方向から差し込むことにより、当該枠取付部２７５ｂに対してワンタッチ状に取り付けられ、同時にコネクタ２３７ａのコネクタ本体部２３７ａ２に遊嵌状に嵌合される。なお、コネクタ保持枠部２７７は上下一対の係止爪２７７ａを有し、枠取付部２７５ｂに差込んだときに、当該上下の係止爪２７７ａが枠取付部２７５ｂに形成された係止溝２７５ｃに弾性係止することによって差込み位置に保持される構成とされる（図１１参照）。上記の係止爪２７７ａと係止溝２７５ｂとによる弾性係止が、本発明における「凹凸形状による係止」に対応する。
【００４１】
次に、遊技盤２２１の右側縁部上方領域に配置される遊技盤側コネクタ２３７ｂにつき、遊技盤２２１の遊技盤着脱位置Ａから遊技盤止着位置Ｂへの回動動作に基づいて取付枠側コネクタ２７３ｂに対して係合方向が一致する向きとなるように微調整および矯正可能とするための当該遊技盤側コネクタ２３７ｂの取付構造を図１２〜図１４に基づいて説明する。なお、本実施の形態では、２個の遊技盤側コネクタ２３７ｂを左右に配置した場合を示している。遊技盤２２１の背面側に合成樹脂製のコネクタホルダ２７９が固着されている。コネクタホルダ２７９は、保持すべきコネクタ２３７ｂのコネクタ本体部２３７ｂ２の外周形状よりも大きい内周形状を有する前後方向に貫通された筒状のコネクタ保持枠部２７９ａを一体に備えており、当該コネクタ保持枠部２７９ａに対してコネクタ２３７ｂのコネクタ本体部２３７ｂ２が前方から差し込まれる。
【００４２】
コネクタ２３７ｂは、上下のフランジ部２３７ｂ１がコネクタホルダ２７９の上下のフランジ部２７９ｂに差し込み方向から当接された状態（図１３参照）で、当該コネクタ保持枠部２７９ａのコネクタ差込側端面（前面側）に形成された弾性変形可能な係止爪２７９ｃ（図１４参照）によりコネクタ本体部２３７ｂ２が抜け止めされている。すなわち、コネクタ２３７ｂはコネクタホルダ２７９に対して係脱方向（前後方向）への移動を規制された状態で、係脱方向と交差する面方向としての左右および上下方向には、コネクタ保持枠部２７９ａの内周面とコネクタ本体部２３７ｂ２の外周面との間の隙間Ｃ２の範囲内で移動自在とされている。これにより、遊技盤側コネクタ２３７ｂと取付枠側コネクタ２７３ｂとの係合時において、両コネクタ２３７ｂ，２７３ｂの相対的な位置ずれが調整される構成となっている。上記の左右および上下方向が本発明における「面方向」に対応する。なおコネクタホルダ２７９は、上下のフランジ部２７９ｂがビス２７８によって遊技盤２２１の背面に固着されている。
【００４３】
ところで、コネクタ保持枠部２７９ａ内に差し込まれたコネクタ２３７ｂは、当該コネクタ２３７ｂに接続される電線２７４を、図１４に示すように、例えば遊技盤２２１の背面において左側へ引き出すように配線したとき、電線２７４の弾性撓みに起因する弾性力によって遊技盤面に対して右向きに傾斜（図示の二点鎖線参照）することになる。このような傾斜は、取付枠側コネクタ２７３ｂと係合する際の支障となる可能性がある。そこで、この実施の形態では、コネクタ保持枠部２７９ａの側面部に、内周面側に傾斜する弾性変形可能な適数個（図１２には２個の場合を示す）の矯正板２７９ｄを一体に形成し、この矯正板２７９ｄによりコネクタ保持枠部２７９ａ内に差し込まれたコネクタ本体部２３７ｂ２の側面を弾性的に加圧付勢することで、コネクタ２３７ｂの向きが取付枠側コネクタ２７３ｂの向きに近づくように矯正している。
【００４４】
なお、遊技盤側コネクタ２３７ｂと取付枠側コネクタ２７３ｂとの係合は、遊技盤２２１の回動動作によって行なわれる構成のため、係合動作を円滑に行なわせるには、回動中心側、すなわち、左側に向けることが好ましい。したがって、本実施の形態では、図１４において遊技盤側コネクタ２３７ｂが左側を向くように加圧付勢した状態を実線にて示している。上記の矯正板２７９ｄが本発明における「付勢手段」に対応する。
【００４５】
すなわち、遊技盤２２１の右側縁部側のコネクタ２３７ｂは、取付枠側コネクタ２７３ｂに対応するように矯正板２７９ｄにより向きを矯正された状態で、かつ係脱方向に交差する上下方向および左右方向の動きを許容された状態で保持されている。これにより、遊技盤側コネクタ２３７ｂと取付枠側コネクタ２７３ｂとの係合時において、両コネクタ２３７ｂ，２７３ｂの相対的な位置ずれが調整される構成となっている。
【００４６】
またコネクタのうち、遊技盤２２１の右側縁部上方領域に配置される遊技盤側コネクタ２
３７ｂは、図７に示すように、遊技盤２２１の右側縁部上方領域に配置されたロックハンドル２５３の概ね真後ろに配置されている。これにより、ロックハンドル２５３による遊技盤２２１と取付枠２１１ａとの止着時において、当該ロックハンドル２５３により遊技盤２２１と取付枠２１１ａとに付加される相互に引き寄せ合う力、換言すれば遊技盤２２１を取付枠２１１ａに押し付ける力が、遊技盤側コネクタ１３７ｂと取付枠側コネクタ２７３ｂとを相互に係合させる力として合理的に伝達される。
【００４７】
次に、上記のように構成される遊技機２０１への遊技盤２２１の取付け作業について説明する。遊技盤２２１を遊技機２０１へ取付ける場合、作業者は、遊技盤２２１の上下の取付ピン２２７を取付枠２１１ａの上下のピンガイド溝２１５にそれぞれはめ込み、直線領域部２１５ｂに沿って移動させる。これにより遊技盤２２１は、図１７に基づいて説明したように、上下の取付ピン２２７と上下のピンガイド溝２１５とのはめ込み動作を介して取付枠２１１ａに結合され、遊技盤着脱位置Ａに位置する。
【００４８】
この場合、本実施の形態では、２本目の取付ピン２２７をピンガイド溝２１５に相対的にはめ込んだときに、その後の直線状の移動方向が規定される構成のため、１本目の取付ピン２２７をはめ込む時点では、はめ込み方向に制約を受けることなく任意の方向からはめ込むことができる。このため、はめ込み動作初期における作業性を向上する上で有効となる。また、遊技盤側の下側の固定金具２２５を取付枠側の固定金具２１３の上面に乗せて遊技盤２２１の重量を取付枠２１１ａ側で支えた状態で取付ピン２２７の移動動作を行うことが可能なため、遊技盤２２１の取付枠２１１ａに対する結合作業を楽に行うことができる。
【００４９】
上記の取付ピン２２７と上下のピンガイド溝２１５とのはめ込み動作時において、取付ピン２２７は、図１９に基づいて説明したように、取付枠側コネクタ２７３ａのコネクタホルダ２６１のピン係合溝２６７内に自然にはまり込み、ピンガイド溝２１５の直線領域２１５ｂを移動しつつプレート２６５を介してコネクタホルダ２６１を水平面内で回動させ、これによりコネクタ２３７ａの向きを遊技盤側コネクタ２３７ａの向きに合致するように矯正する。その後、取付ピン２２７がピンガイド溝２１５の直線領域２１５ｂの端部に達するまでの間に、取付枠側コネクタ２７３ａと遊技盤側コネクタ２３７ａがワンタッチ状に係合されるが、このように取付枠側コネクタ２７３ａの係合方向の矯正がなされていることでコネクタの係合が円滑に行われることになる。この係合により、各コネクタ２３７ａ，２７３ａ内の各種電気接点同士が接続され、遊技盤２２１側の電気機器と遊技機本体部２０３側の電気機器が相互に電気的に接続されることとなる。
【００５０】
つづいて、遊技盤２２１を遊技盤着脱位置Ａから遊技盤止着位置Ｂへと水平回動させる。この水平回動動作は、図１７に基づき説明したように、２本の取付ピン２２７がピンガイド溝２１５の奥側に形成されたフック状の折返し部２２ｃを移動することにより、図１７のＸ点を中心にして行なわれる。これにより遊技盤２２１は、取付枠２１１ａによってその重量を支持された状態で、遊技盤止着位置Ｂへと容易に移動させることが可能である。
【００５１】
遊技盤２２１が遊技盤着脱位置Ａから遊技盤止着位置Ｂへと回動状に移動される際、遊技盤２２１側の右上縁部のコネクタ２３７ｂは、当該遊技盤２２１の回動動作によって取付枠２１１ａ側のコネクタ２７３ｂにワンタッチ状に係合する。これにより、各コネクタ２３７ｂ，２７３ｂ内の各種電気接点同士が接続され、遊技盤２２１側の電気機器と遊技機本体部２０３側の電気機器が相互に電気的に接続されることとなる。
【００５２】
なお、コネクタ２３７ａと２７３ａとの係合、またコネクタ２３７ｂと２７３ｂとの係合時において、コネクタ間に相対的な位置ずれが存在していても、遊技盤２２１の左上方領域の遊技盤側コネクタ２３７ａおよび右上方領域の遊技盤側コネクタ２３７ｂで説明したように、各コネクタ同士の位置関係が微調整される構成としてあるため、上記位置ずれを吸収して係合することができる。
【００５３】
かくして、遊技盤２２１が遊技盤止着位置Ｂへと回動状に移動されるが、このとき、取付枠２１１ａの右側縁部下方領域に設けられたロックハンドル２４３が遊技盤２２１の右側縁部下方領域に設けられたロック孔２２９を貫通して前方へ突き出る。そこでこのロックハンドル２４３を回動操作し、当該ロックハンドル２４３によって孔周縁部２２９ａを加圧する。これにより、右側縁部の下部側において、遊技盤２２１と取付枠２１１ａが互いに密着し合う向きに加圧された状態で止着される。
【００５４】
また、遊技盤２２１の遊技盤止着位置Ｂへの回動時に、遊技盤２２１の右側縁部上方領域に配置されたロックハンドル２５３は、図１５に示すように、操作摘み２５３ｂ側が遊技盤面の手前に引き起こされており、上方のロック部２５３ａが取付枠２１１ａ側の係止片２５７の下方を潜り抜けて当該係止片２５７の背面（裏面）側に入り込む。そこで、このロックハンドル２５３の操作摘み２５３ｂを遊技盤面に向かって回動操作すると、ロック部２５３ａが係止片２５７の背面を前方（遊技盤２２１側）に向かって加圧する。これにより、右側縁部の上部側において、遊技盤２２１と取付枠２１１ａが互いに密着し合う向きに加圧された状態で止着される（図１６参照）。
【００５５】
ロックハンドル２５３による遊技盤２２１の止着時において、ロックハンドル２５３の概ね真後ろにコネクタ１３７ｂが配置される構成のため、当該ロックハンドル２５３による加圧力がコネクタ１３７ｂ，１７３ｂを係合させる力として効果的に付加されることになる。なお、ロックハンドル２５３は、遊技盤２２１の止着状態では、操作摘み２５２ｂ側の係止爪２５３ｃが遊技盤２２１側の係止部２２１ａに弾性係止され、止着位置に保持される。また、ロックハンドル２５３の止着状態では、当該ロックハンドル２５３は遊技盤２２１の前面（盤面）に形成された凹部２２１ｂに収容される。このため、遊技盤２２１の前面に配置されるガラスあるいはガラス枠に対するロックハンドル２５３の干渉を回避することができる。
【００５６】
かくして、遊技盤２２１は、遊技機本体２０１側に取り付けられる。なお、遊技盤２２１を交換するような場合には、上記と逆の手順を踏むことで、遊技盤２２１を遊技機本体２０１側から取り外すことができる。
【００５７】
上記のように、本実施の形態では、遊技盤２２１の取付枠２１１ａへの結合動作を利用してコネクタ１３７ａ，１７３ａをワンタッチ状に係合させることができ、遊技盤２２１の遊技盤止着位置Ｂへの回動動作を利用してコネクタ１３７ｂ，１７３ｂをワンタッチ状に係合させることができるため、遊技盤２２１の取付枠２１１ａに対する取付作業時間を短縮できる。  この場合、遊技盤２２１の取付枠２１１ａへの結合動作を介して係合されるコネクタ１３７ａにつき、上記の結合動作を利用して係合方向を矯正した上で係合させる構成のため、係合動作を適正かつ合理的に行うことができる。
【００５８】
なお、上述した実施の形態では、取付ピン２２７がピンガイド溝２１５の直線領域部２１５ｂを前後２箇所で摺接しつつ直線状に移動する態様として、２本ピン方式を採用したが、２本ピンの先端部が相互に接合された態様、あるいは２本の取付ピンがその径方向において当該ピンの直径よりも肉厚の薄い部分を介して接合された態様を採用することも可能である。
【００５９】
また、本実施の形態では、遊技盤２２１を取付枠２１１ａに取り付けるために備えられた取付ピン２２７が、取付枠側コネクタ２７３ａの向きを矯正するための手段を兼用する構成としているため、少ない部品数で向き矯正機能を得ることができるが、取付枠側コネクタ２７３ａの向きを矯正する手段は、取付ピン２２７とは独立した態様で構成してもよい。その場合、例えば遊技盤２２１側に、遊技盤２２１の取付枠２１１ａへの結合動作時に、コネクタ２７３ａを保持するコネクタホルダ２６１を加圧して水平回動させることでコネクタ２７３ａの向きを矯正する加圧部材を設定し、また遊技盤２２１の遊技盤着脱位置Ａから遊技盤止着位置Ｂへの回動動作時には、前記加圧部材により、あるいは当該加圧部材とは別部材によりコネクタホルダ２６１を遊技盤２２１とともに水平回動させるといった手段を構築してもよい。
【００６０】
また、遊技盤２２１を、取付ピン２２７とピンガイド溝２１５とのはめ込み動作取付枠２１１ａに結合する構成につき、本実施の形態では、遊技盤２２１側に取付ピン２２７を設け、取付枠２１１ａ側にピンガイド溝２１５を設けたが、これを逆配置、すなわち遊技盤２２１側にピンガイド溝２１５を設け、取付枠２１１ａ側に取付ピン２２７を設けしてもよい。あるいは上端側と下端側とで逆配置とする構成、すなわち遊技盤２２１に上端側に取付ピン２２７またはピンガイド溝２１５のいずれか一方を設定し、下端側に他方を設定する構成としてもよい。
【００６１】
また、遊技盤２２１の取付枠２１１ａに対する取付態様としては、前述した実施の形態による取付態様の他、例えば取付枠２１１ａの左側縁部に遊技盤２２１を保持するための保持枠を予め取り付けて置き、その保持枠に遊技盤２２１を保持させた状態で取付枠２１１ａ側へ保持枠と共に回動させて取り付ける態様に変更することが可能である。  また、上述した実施の形態では遊技盤２２１に配置されたロックハンドル２５３が、当該遊技盤２２１を遊技盤着脱位置Ａと遊技盤止着位置Ｂとの間で回動させるときの取手を兼用する構成としたが、取手をロックハンドル２５３とは別途に遊技盤２２１に備える構成としてもよい。
【００６２】
また、上述の実施形態では、遊技盤２２１と取付枠２１１ａとの間に２組の電気的コネクタを備える構成としたが、電気配線を纏めることで１組にしてもよい。また遊技盤２２１の取付枠２１１ａに対する取付動作に基づいて取付枠側のコネクタ２７３ａの向きを矯正する構成は、遊技盤側のコネクタ２３７ａに適用してもよいし、遊技盤２２１の右上縁部あるいは取付枠２１１ａの右上縁部に配置されるコネクタ２３７ｂ、２７３ｂに適用してもよい。その場合、コネクタの向き矯正手段は、上述した実施の形態で説明した構造に限定するものではなく、他の構造に変更してもよい。
【００６３】
（変更例１）  次に本発明の変更例１を図２０に基づいて説明する。この変更例１は、前述した実施の形態に係る取付ピン２２７とピンガイド溝２１５とのはめ込み構造の変更に関する。遊技盤２２１の左側縁部における上端部と下端部には、軸方向を上下方向とする円柱状の各１本の取付ピン３２７が突設されている。一方、取付枠２１１ａの左側縁部における上端部と下端部に固着された固定金具３１３には、取付枠１１の前面側に開口部３１５ａを有するとともに、取付枠２１１ａの正面に対して所定の傾斜角度で左奥側に向かって概ね直線状に延在するピンガイド溝３１５が形成されている。      
【００６４】
また、固定金具３１３には、取付ピン３２７のピンガイド溝３１５へのはめ込み時において、遊技盤２２１の背面に当接することで当該遊技盤２２１が取付ピン３２７を中心に回動することを規制する円柱状のストッパ３１７が突設されている。これに対応して、遊技盤２２１の左側縁部の上端部と下端部には、取付ピン３２７がピンガイド溝３１５の終端部に到達したときに、ストッパ３１７と対向する部位に切欠３３１が形成されている。  なお、上記のストッパ３１７と切欠３３１については、少なくとも上下いずれか一方に設定されておれば足りる。
【００６５】
変更例１は上記のように構成したものである。したがって、遊技盤２２１を取付枠２１１ａに結合すべく、取付ピン３２７をピンガイド溝３１５の開口部３１５ａからピンガイド溝３１５内にはめ込んで移動するとき、遊技盤２２１の背面がストッパ３１７に当接することで当該遊技盤２２１の回動が規制される。すなわち、遊技盤２２１の背面をストッパ３１７に当接させ、このストッパ３１７をガ
イドにして取付ピン３２７がピンガイド溝３１５の終端部に到達する位置、すなわち遊技盤着脱位置Ａまで遊技盤２２１を直線的に移動させることができる。そして遊技盤２２１が遊技盤着脱位置Ａに位置したとき、切欠３３１がストッパ３１７に対向し、遊技盤２２１の回動規制が解除される。したがって、取付ピン３２７を回動支点にして遊技盤２２１を遊技盤着脱位置Ａから遊技盤止着位置Ｂへ水平に回動させ、取付枠２１１ａに止着することができる。
【００６６】
このように、変更例１のような構成によっても、ピンガイド溝３１５に取付ピン３３７をはめ込むことにより遊技盤２２１を取付枠２１１ａに結合後、当該遊技盤２２１を取付枠２１１ａ側に向かって回動させるといった簡単な操作を行うことで、遊技盤２２１の取付枠２１１ａへの取付作業を合理的に行うことが可能となる。そしてストッパ３１７によって、はめ込み動作の途中での遊技盤２２１の回動を規制し、遊技盤２２１が不測に回動された場合の取付枠２１１ａに対する干渉問題を回避できる。
【００６７】
（変更例２）  次に本発明の変更例２を図２１に基づいて説明する。この変更例２は、前述した実施の形態に係る取付ピン２２７とピンガイド溝２１５とのはめ込み構造の変更に関する。この変更例２では、取付枠２１１ａの左側縁部における上端部と下端部に固着された固定金具４１３には、取付枠２１１ａの前面側に開口部４１５ａを有するとともに、取付枠２１１ａの正面に対して所定の傾斜角度で左奥側に向かって概ね直線状に延在するピンガイド溝４１５が形成されている。ピンガイド溝４１５の溝終端部には、溝幅よりも内径の大きい円形部４１５ｂが形成されている。一方、遊技盤２２１の左側縁部の上端部と下端部には、軸方向を上下方向とする各１本の取付ピン４２７が突設されている。取付ピン４２７は、ピンガイド溝４１５の円形部４１５ｂの内径と等しいかやや小さい外径を有する円柱状に形成されるとともに、ピンガイド溝４１５の直線状に延在する壁面に対して面接触で摺接する２つの平面部４２７ａを備えている。
【００６８】
変更例２は上記のように構成したものである。したがって、遊技盤２２１を取付枠２１１ａに結合すべく、取付ピン４２７を両平面部４２７ａがピンガイド溝４１５の壁面にそれぞれ接触するように開口部３１５ａからはめ込めば、ピンガイド溝４１５の直線領域では平面部４２７ａの面接触により取付ピン４２７の回動が規制される。したがって、遊技盤２２１は回動を規制された状態で直線状に移動される。  取付ピン４２７がピンガイド溝４１５の円形部４１５ｂに達したとき、すなわち遊技盤２２１が遊技盤着脱位置Ａに達すると、ピンガイド溝４１５に対する平面部４２７ａの面接触が解除され、取付ピン４２７の円形部４１５ｂ内での回動が許容される。したがって、遊技盤２２１を遊技盤着脱位置Ａから遊技盤止着位置Ｂへ水平に回動させ、取付枠２１１ａに止着することができる。このように、変更例２によれば、変更例１と同様の作用効果を奏することができる。
【００６９】
なお、変更例１および２では、取付ピン３２７，４２７を遊技盤２２１に設け、ピンガイド溝３１５，４１５を取付枠２１１ａに設けたが、これを逆配置、すなわち遊技盤２２１側にピンガイド溝３１５，４１５を設け、取付枠２１１ａ側に取付ピン３２７，４２７を設けてもよい。あるいは上端側と下端側とで逆配置とする構成、すなわち遊技盤２２１の上端側に取付ピン３２７，４２７またはピンガイド溝３１５，４１５のいずれか一方を設定し、下端側に他方を設定する構成としてもよい。
【００７０】
（変更例３）  次に本発明の変更例３を図２２および図２３に基づいて説明する。この変更例３は、遊技盤２２１の左側縁部上方領域に配置される遊技盤側コネクタ２３７ａの位置調整に関する変更例である。前述した実施の形態では、図１０および図１１に示すように、コネクタホルダ２７５に、コネクタ２３７ａのコネクタ本体部２３７ａ２の外周形状よりも大きい内周形状を有するコネクタ保持枠部２７７を取り付け、そのコネクタ保持枠部２７７の内周面とコネクタ本体部２３７ａ２の外周面との間に隙間Ｃ１を設定している。そしてその隙間Ｃ１の範囲内でコネクタ２３７ａが上下および前後方向（係合方向と交差する面方向）にシフトすることを可能としている。これにより、遊技盤側コネクタ２３７ａと取付枠側コネクタ２７３ａとの係合時において、両コネクタ２３７ａ，２７３ａの相対的な位置ずれが調整される構成となっている。
【００７１】
変更例３では、上述したコネクタ保持枠部２７７の内周面とコネクタ本体部２３７ａ２の外周面との間の隙間Ｃ１による位置調整方式に変えて、円柱状あるいは円筒状のピン２８１と、そのピン２８１よりも大径の円形のピン孔２８３とを介して位置調整を可能としたものであり、この点を除いては、前述した実施の形態と同様に構成される。なお、変更例３では、コネクタ２３７ａが１個の場合として図示してあるが、前述した実施形態の場合と同様、２個であってもよい。
【００７２】
図２２および図２３に示すように、合成樹脂製のコネクタ保持枠部２７７の上下部にそれぞれ一体に形成されたピン２８１が設けられ、これに対応してコネクタ２３７ａの上下のフランジ部２３７ａ１にピン孔２８３が設けられている。コネクタ２３７ａは上下のフランジ部２３７ａ１がコネクタホルダ２７５の係合溝２７５ａに遊技盤２２１の背面側（図２２の紙面手前側）からはめ込まれる。この状態では、コネクタ２３７ａはコネクタ係合方向（図２２において左右方向）の移動が規制された状態で、コネクタ係合方向と交差する面方向としての前後方向（図２２において紙面に直交する方向）および上下方向（図２２において上下方向）の移動が可能とされている。
【００７３】
コネクタ保持枠部２７７は、前述した実施の形態と同様、上下一対の係止爪２７７ａを有している。そしてコネクタ保持枠部２７７は、コネクタホルダ２７５の枠取付部２７５ｂにコネクタ２３７ａの係合方向から差し込まれたとき、上下一対の係止爪２７７ａが枠取付部２７５ｂに形成された係止溝２７５ｃに弾性係止することで枠取付部２７５ｂに取り付けられる。このとき、コネクタ保持枠部２７７の裏面側から水平状に突出されているピン２８１は、枠取付部２７５ｂに形成された孔を貫通し、コネクタ２３７ａのフランジ部２３７ａ１のピン孔２８３を遊嵌状に貫通する。かくして、ピン孔２８３とピン２８１との間には隙間Ｃ３が設定され、これによりコネクタ２３７ａは、当該隙間Ｃ３の範囲内で上下および前後方向（係合方向と交差する面方向）のシフトが可能とされている。上記の上下および前後方向が本発明における「面方向」に対応する。
【００７４】
変更例３は、上記のように構成したものである。したがって、遊技盤２２１を取付枠２１１ａに結合する際、遊技盤側コネクタ２３７ａと取付枠側コネクタ２７３ａとの係合時において、両コネクタ２３７ａ，２７３ａの相対的な位置ずれが調整され、両コネクタ２３７ａ，２７３ａの係合動作を円滑に行うことができる。特にピン２８１とピン孔２８３とのはめ合いによって位置ずれの調整を可能とする構成のため、コネクタホルダ２７５に対するコネクタ２３７ａの取り付けが容易にできる。
【００７５】
（変更例４）  次に、変更例４を図２４および図２５に基づいて説明する。この変更例４は、遊技盤２２１の右側縁部に配置される遊技盤側コネクタ２３７ｂの位置調整に関する変更例であり、基本的には上述した変更例３と同様の、円柱状または円筒状のピン２９１と、当該ピン２９１よりも大径の円形のピン孔２９３とのはめ合いによる位置調整方式である。
【００７６】
この変更例４では、合成樹脂製のコネクタホルダ２７９の上下のフランジ部２７９ｂにそれぞれ一体に形成されたピン２９１が突設され、これに対応してコネクタ２３７ｂの上下のフランジ部２３７ｂ１にピン孔２９３が形成されている。コネクタホルダ２７９は、コネクタ２３７ｂのコネクタ本体部２３７ｂ２が遊嵌状にはまり込むコネクタ保持枠部２７９ａと、そのコネクタ保持枠部２７９ａに連接される上下のフランジ部２７９ｂとを有し、当該フランジ部２７９ｂがビス２７８によって遊技盤２２１に固着される。コネクタ２３７ｂは、コネクタ本体部２３７ｂ２がコネクタホルダ２７９のコネクタ保持枠部２７９ａにはめ込まれるとともに、上下のフランジ部２７９ｂがコネクタホルダ２７９のフランジ部２３７ｂ１と遊技盤２２１の背面との間に配置される。すなわち、コネクタ２３７ｂは、コネクタ係合方向である前後方向（図２４において左右方向）の動きを規制された状態で、コネクタ係合方向と交差する面方向としての上下方向（図２４において上下方向）および左右方向（図２４において紙面に直交する方向）に移動可能とされている。
【００７７】
コネクタホルダ２７９のピン２９１は、コネクタ２３７ｂのフランジ部２３７ｂ１のピン孔２９３に遊嵌状にはめ込まれている。かくして、ピン孔２９３とピン２９１との間には隙間Ｃ４が設定され、これによりコネクタ２３７ａは、当該隙間Ｃ４の範囲内で上下および左右方向（係合方向と交差する面方向）のシフトが可能とされている。上記の上下および左右方向が本発明における「面方向」に対応する。
【００７８】
変更例４は、上記のように構成したものである。したがって、遊技盤２２１が遊技盤止着位置Ｂへと回動する際、遊技盤側コネクタ２３７ｂと取付枠側コネクタ２７３ｂとの係合時において、両コネクタ２３７ｂ，２７３ｂの回動動作に伴う並行状態を基準とした対向角度のずれ、換言すれば両コネクタ２３７ｂ，２７３ｂの対向面の平行度のずれを含む相対的な位置ずれが調整され、両コネクタ２３７ｂ，２７３ｂの係合動作を円滑に行うことができる。またピン２９１とピン孔２９３とのはめ合いによって位置ずれの調整を可能とする構成のため、変更例３の場合と同様に、コネクタホルダ２７９に対するコネクタ２３７ｂの取り付けが容易にできる。
【００７９】
なお、変更例３および変更例４では、コネクタホルダ２７５，２７９側にピン２８１，２９１を設け、コネクタ２３７ａ、２３７ｂ側にピン孔２８３，２９３を設けたが、コネクタホルダ２７５，２７９側にピン孔２８３，２９３を設け、コネクタ２３７ａ、２３７ｂ側にピン２８１，２９１を設けてもよい。
【００８０】
（第２の実施形態）  次に本発明の第２の実施形態を図２６〜図３３に基づいて説明する。この第２の実施形態は、「態様１８〜態様３０」に記載された発明に対応する。本実施の形態では、遊技機１０１としてパチンコ機が用いられている。図２６に示すように、本実施の形態に係る遊技機１０１は、遊技機本体部１０３に設けられた取付枠１１１、遊技盤１３１および遊技盤支持部材１５１を有する。取付枠１１１が本発明における「取付枠」に対応する。
【００８１】
遊技機１０１を構成する各要素のうち、遊技機本体部１０３、取付枠１１１、遊技盤支持部材１５１の構成が図２７および図２８に示される。遊技機１０１の前面部を構成する前枠部およびガラス窓については、便宜上図示を省略している。なお、図２７および図２８では遊技盤１３１が止着されていない状態が示されている。また遊技機支持部材１５１の詳細な構造が図２９に示され、遊技盤１３１の詳細な構造が図３０、図３１および図３２に示される。
【００８２】
図２７に示すように、取付枠１１１は、遊技機１０１の基体をなす遊技機本体部１０３の前面側に配置される。取付枠１１１の上方側縁部には、後述する遊技盤１３１側のコネクタ１３７ｂと係合可能に構成されたコネクタ１７３ｂが配設されている。コネクタ１３７ｂと１７３ｂとは一対の雄雌形状に構成される（図２８参照）。また取付枠１１１の下縁領域には、遊技盤１３１を止着するべく、遊技盤上下付勢機構付きロック手段１１５および遊技盤押し出し機構付きロック手段１１９が配置されている。前者は、ロックハンドル１１７をマニュアルで回動操作することにより、遊技盤１３１の下縁に設けられた上下付勢ロック用係止部１１５に下方への付勢力を作用しつつ着脱自在に係合する。また後者は、ロックハンドル１２１をマニュアルで回動操作
することにより遊技盤１３１に着脱自在に係合する。
【００８３】
特に図示しないものの、後者のロック手段１１９では、遊技盤１３１への係止が解除されるようにロックハンドル１２１を回動する際、当該ロックハンドル１２１の回動動作とともに遊技盤１３１と取付枠１１１との間に楔状の離間手段が侵入可能に構成される。これにより遊技盤１３１のロック解除時には、遊技盤１３１が取付枠１１１から前方に押し出され、遊技盤１３１の取り外しを容易とする。
【００８４】
図２９に示すように、遊技盤支持部材１５１は、金属プレートを適宜曲折することにより、上下方向に延在する回動部１５５と、当該回動部１５５の上下端部領域から水平方向へと交差状に突出する遊技盤支持部１５７および遊技盤傾動規制部１５９とが一体状に成形されてなり、各部によって囲まれる空間領域が遊技盤収容部１７１を構成する。
【００８５】
遊技盤支持部１５７は、遊技盤支持部材１５１に取り付けられた遊技盤１３１（図２６参照）の重量を支持する。また遊技盤傾動規制部１５９は、遊技盤支持部材１５１に取り付けられた遊技盤１３１の上縁部に当接し、遊技盤１３１がその下端部周りに回動して遊技盤支持部材１５１から脱落するのを未然に防止するよう構成される。また遊技盤収容部１７１は、遊技盤１３１の左側所定領域を収容する。なお遊技盤傾動規制部１５９には、遊技盤収容部１７１に向かって内側に突出した付勢凸部１６１が形成されている。付勢凸部１６１は、遊技盤１３１が遊技盤収容部１７１に収容される際に、当該遊技盤１３１の上縁部に、付勢力を作用しつつ密着状に接触する。また遊技盤収容部１７１の先端領域には、間口を拡幅した遊技盤誘導部１６３が形成され、遊技盤１３１を遊技盤収容部１７１に挿通するのを容易にする。
【００８６】
遊技盤支持部材１５１の上下端部には回転ヒンジ１５３が設置され、遊技盤支持部材１５１は、取付枠１１１に取り付けられた際、当該回転ヒンジ１５３を中心として水平面内を回動可能とされる。本実施の形態では、図２６に示すように、取付枠１１１から離間した位置（以下、遊技盤着脱位置Ａという）と、取付枠１１１に近接した位置（以下、遊技盤止着位置Ｂという）との間で回動する。図２６では、遊技盤１３１が装着された遊技盤支持部材１５１が遊技盤止着位置Ｂに置かれた状態を示す。なお遊技盤着脱位置Ａは、本発明における「第１の位置」に対応し、遊技盤止着位置Ｂは、本発明における「第２の位置」に対応する。
【００８７】
なお図２８に示されるように、取付枠１１１のうち遊技盤支持部材１５１が配置される側の側縁には、遊技盤着脱位置Ａに置かれた遊技盤支持部材１５１が遊技盤止着位置Ｂ方向へ回動しようとする際に、当該遊技盤支持部材１５１に当接することで、遊技盤支持部材１５１の回動を規制する回転位置規制突起１１３が設けられる。これにより遊技盤着脱位置Ａに置かれた遊技盤支持部材１５１（および遊技盤１３１）を当該位置Ａに保持するように機能する。
【００８８】
遊技盤支持部材１５１は、さらに図２９に示すように、回転ヒンジ側コネクタ１７３ａを有する。コネクタ１７３ａは金属プレートを曲折して中空体状に形成されてなり、遊技盤１３１側の電気機器と遊技機本体部１０３側の電気機器とを接続するための電気接点が内部に複数配設されている。コネクタ１７３ａは、遊技盤１３１が遊技盤支持部材１５１に取付けられる際に、当該遊技盤１３１の取付動作に応じて、後述する遊技盤１３１側コネクタ１３７ａと係合される（図３２、図３３参照）。なお遊技盤１３１側の電気機器としては、例えば、表示装置，音声装置ないし発光装置を駆動制御するのに用いられるメイン基板やサブ基板がこれに該当し、遊技機本体部１０３側の電気機器としては、例えば、電源基板，賞球払い出し装置制御用基板あるいは発射装置制御用基板等がこれに該当する。
【００８９】
さらに遊技盤支持部材１５１の正面側には、遊技盤１３１が正しく遊技盤支持部材１５１に取付けられたか否かを目視で確認可能とするべく正常取付状態表示窓１７９が穿設されている。
【００９０】
遊技盤１３１の構造が図３０から図３２までに示される。遊技盤１３１の正面部を構成する遊技領域１３３には表示装置取付部１３５が形成される。また遊技盤１３１正面の上方側部には、上記した正常取付状態表示窓１７９に対応した正常取付状態表示記号１４１として「ＯＫ」の文字が表示されている。なお、遊技盤領域１３１に配設されるべき釘、入賞部、ゲート部等の盤面構成要素および表示装置取付部１３５に設置されるべき表示装置については、便宜上、図示および詳細な説明を省略する。
【００９１】
また図３１および図３２に示すように、遊技盤１３１の背面側には、遊技盤側コネクタ１３７ａが配置されている。遊技盤側コネクタ１３７ａは、金属プレートを曲折することで形成され、内部に複数の電気接点１３９が配置される。このうちコネクタ１３７ａは、遊技盤１３１を遊技盤支持部材１５１に取り付ける動作を介して、上記した遊技盤支持部材１５１側のコネクタ１７３ａにワンタッチ状に係合可能とされる。またコネクタ１３７ｂは、遊技盤支持部材１５１に取り付けられた遊技盤１３１を遊技盤止着位置Ｂ（図２６参照）へ回動する動作を介して、取付枠１１１側のコネクタ１７３ｂにワンタッチ状に係合可能とされる。
【００９２】
上記のように構成される遊技機１０１への遊技盤１３１の取付け作業の詳細について説明する。遊技盤１３１を遊技機１０１へ取付ける場合、作業者は、遊技盤支持部材１５１を回動させて、遊技盤着脱位置Ａに位置させる。この状態で、遊技盤１３１を遊技盤支持部材１５１の収容部１７１に取付ける（図２９参照）。遊技盤着脱位置Ａでは、遊技盤支持部材１５１が取付枠１１１および遊技機本体部１０３から離間して配置されるため（図２６参照）、これらの部材が遊技盤１３１の取付け作業に干渉することが回避される。なお取付けに際し、遊技盤１３１は誘導部１６３により容易に収容部１７１に誘導される。かくして、遊技盤１３１の左側側縁が収容部１７１に収容され、遊技盤１３１が遊技盤支持部材１５１に支持される。
【００９３】
この状態では、遊技盤１３１は、遊技盤支持部１５７に載置されることで、しっかりとその重量が支持されており、さらに遊技盤傾動規制部１５９が遊技盤１３１の上縁に当接することにより、遊技盤１３１がその下縁部周りに不用意に傾動して遊技盤支持部材１５１から脱落することが防止される。なお、図２９に示す付勢凸部１６１により、遊技盤傾動規制部１５９と遊技盤１３１とは密着状に当接し、確実に係合することが確保されている。
【００９４】
また上記した回転位置規制突起１１３（図２８参照）により、遊技盤支持部材１５１は遊技盤着脱位置Ａから回動することが規制されるため、遊技盤１３１を遊技盤支持部材１５１に取り付ける際の作業安定性が確保される。
【００９５】
遊技盤１３１が遊技盤支持部材１５１の収容部１７１に正しく取り付けられた場合、遊技盤支持部材１５１の表示窓１７９から、遊技盤１３１の表示記号１４１である「ＯＫ」の文字が視認され、遊技盤１３１が遊技盤支持部材１５１に正常に取付けられたことが容易に確認可能である(図２６参照)。なお当該「ＯＫ」の文字が視認されない状態である場合には、遊技盤１３１が遊技盤支持部材１５１に正常に取付けられていない状態であり、この場合には、遊技盤１３１側のコネクタ１３７ａが遊技盤支持部材１５１側のコネクタ１７３ａに正しく接続されていないことが多い。従って「ＯＫ」の文字が完全に視認されるか否かで、遊技機１０１の機械正面側から、裏面に配置されたコネクタの接続状況を確認することが可能となる。すなわち態様２６または２７に記載の遊技機における表示手段につき、遊技盤の正常取付状態を示すのみならず、さらに遊技盤と遊技盤支持部材（あるいは遊技盤と取付枠等）の間の電気接点の正常装着状態についても視認可能とする態様である。
【００９６】
また上記の態様に代えて、表示記号を「ＯＫ」「ＮＧ」の二つの領域に区分し、表示窓１７９に指標となる突起等のインジケータを設け、遊技盤１３１が正常に取付けられた場合に、当該指標突起が「ＯＫ」を指すといったように、遊技盤の正常取付状態をメータ状に表示する態様、あるいは表示記号を「赤」「青」といった複数の配色領域に区分し、遊技盤１３１が正常に取付けられた場合には指標突起が「青」の配色領域を指すようにするといった態様についても、いずれも好適に採用可能である。
【００９７】
さらに遊技盤１３１が遊技盤支持部材１５１に取付けられる際、遊技盤１３１側のコネクタ１３７ａは、当該遊技盤１３１の取付け動作を介して、遊技盤支持部材１５１側のコネクタ１７３ａに係合する。コネクタ１３７ａおよび１７３ａは、一対の雄雌形状に形成され、ワンタッチ状に係合可能である。これによって各コネクタ１３７ａ，１７３ａ内の各種電気接点同士が接続され、遊技盤１３１側の電気機器と遊技機本体部１０３側の電気機器が相互に電気的に接続されることとなる。
【００９８】
次に、遊技盤１３１が取付けられた状態で、遊技盤支持部材１５１を遊技盤着脱位置Ａから遊技盤止着位置Ｂへと、回転ヒンジ部材１５３を中心に水平に回動させる（図２６参照）。これにより遊技盤支持部材１５１に取付けられた遊技盤１３１は、遊技盤支持部１５７にその重量を支持された状態で、遊技盤止着位置Ｂへ容易に移動させることが可能である。すなわち遊技盤１３１を遊技盤支持部材１５１に取付けた後では、遊技盤１３１を作業者が自ら持ち上げて保持する必要がなくなる。
【００９９】
遊技盤１３１が遊技盤着脱位置Ａから遊技盤止着位置Ｂへと回動状に移動される際、遊技盤１３１側のコネクタ１３７ｂは、当該遊技盤１３１の回動動作によって取付枠１１１側のコネクタ１７３ｂに係合する。コネクタ１３７ｂおよび１７３ｂは、一対の雄雌形状に形成され、ワンタッチ状に係合可能である。これにより、各コネクタ１３７ｂ，１７３ｂ内の各種電気接点同士が接続され、遊技盤１３１側の電気機器と遊技機本体部１０３側の電気機器が相互に電気的に接続されることとなる（図３３参照）。
【０１００】
なお、遊技盤１３１、遊技盤支持部材１５１および取付枠１１１における寸法公差ないし組み付け誤差等の影響により、遊技盤１３１を遊技盤取付部１５１に取付ける際、あるいは遊技盤１３１が遊技盤止着位置Ｂへと回動して取付枠１１１に係合する際、コネクタ１３７ａと１７３ａ，コネクタ１３７ｂと１７３ｂが相対的に位置ずれを起こし、うまく係合できない場合が生じ得る。このような場合に対処するべく、コネクタ１３７ａ，１３７ｂの遊技盤１３１への取付部、コネクタ１７３ａの遊技盤支持部材１５１への取付部、およびコネクタ１７３ｂの取付枠１１１への取付部に関しては、特に図示しないものの、それらの全部または一部につき、取付用ビスに対する係合孔を長孔状に形成して対処している。すなわちビスに対する係合孔の位置関係を適宜シフトさせることで、コネクタの止着位置を適宜変化させ、各コネクタ同士の位置関係を微調整することが可能に構成されている。
【０１０１】
かくして図２６に示すように、遊技盤１３１が遊技盤支持部材１５１に取付けられた状態で遊技盤着脱位置Ａから遊技盤止着位置Ｂへと回動状に移動され、さらにロック手段１１５および１１９を介して取付枠１１１に止着される。このうちロック手段１１５においては、遊技盤１３１に設けられた係止部１４３が当該ロック手段１１５によって上下方向に付勢されることにより、遊技盤１３１は取付枠１１１に確実に係止されることが可能である。また遊技盤１３１を取付枠１１１から取り外す場合には、ロック手段１１９が遊技盤１３１を前方に押し出すように構成されるため、遊技盤１３１は取付枠１１１から所定量離間されて、その後の遊技盤１３１の取り外しの便宜を図る。
【０１０２】
また遊技盤１３１の遊技盤支持部材１５１への取付動作（遊技盤１３１の収容部１７１への収容動作）、および遊技盤１３１の取付枠１１１への回動動作により、遊技機１０１の背面側斜視図である図３３に示すように、遊技盤１３１側のコネクタ１３
７ａが遊技盤支持部材１５１側のコネクタ１７３ａとワンタッチ状に係合し、遊技盤１３１側のコネクタ１３７ｂが取付枠１１１側のコネクタ１７３ｂとワンタッチ状に係合する。従って、遊技盤１３１の取付によって、遊技盤１３１側の電気機器と遊技機本体部１０３側との電気機器との接続が自動的に行われることとなり、遊技盤１３１取付作業の合理化を促進することが可能となる。
【０１０３】
なお本実施の形態では、遊技盤１３１の電気的接続に際し、電気接点を内部に収容するコネクタ同士の係合を介して行ったが、これをプラグ端子等の他の形態のものに適宜代替することが可能である。
【０１０４】
また本実施の形態では、遊技盤１３１の側縁部を遊技盤支持部材１５１に取付けた状態で、当該遊技盤１３１の重量を支持しつつ水平方向に回動して取付枠１１１に止着する構成を採用したが、遊技盤の下縁部を支持しつつ、当該下縁部回りに遊技盤を上下方向に回動させて取付枠に止着する変更例を採用してもよい。
【０１０５】
この場合、遊技盤支持部材については、遊技盤の下面および側面に接触する収容空間を構成し、遊技盤を遊技盤支持部材にセットする場合には、遊技盤の遊技盤支持部材への取付作業性を向上するべく、遊技盤の両側面を収容空間の側面部に摺接させつつ当該収容空間に収容するのが好ましい。
【０１０６】
また、上述した実施の形態では、パチンコ機について説明したが、本発明はパチンコ機に限られるものではなく、例えばアレンジボール機、スロット機、パチンコ球を使用してスロット遊技を行う遊技機等、その他の遊技機であっても適用することが可能である。
【０１０７】
さらに、本発明の趣旨により、下記に述べる各種の態様を構成することが可能である。（態様１）  「請求項１に記載の遊技機であって、  前記ロック操作手段は、前記第２の位置へ回動された前記遊技盤を前記取付枠に解除自在に止着すべく当該遊技盤に回動操作可能に取り付けられたロックハンドルを有し、  前記遊技盤を止着するための前記ロックハンドルの回動操作における前記第２の位置ないしその近傍での止着のための押圧方向が、前記遊技盤の回動動作における前記第２の位置ないしその近傍での閉鎖のための押圧方向と概ね一致し、前記遊技盤の止着を解除するための前記ロックハンドルの回動動作における前記第２の位置ないしその近傍での止着解除のための引張り方向が、前記遊技盤の回動動作における前記第２の位置ないしその近傍での開放のための引張り方向と概ね一致する構成としたことを特徴とする遊技機。」
【０１０８】
態様１に記載の発明では、請求項１に記載の遊技機において、ロック操作手段は、第２の位置へ回動された遊技盤を取付枠に解除自在に止着すべく当該遊技盤に回動操作可能に取り付けられたロックハンドルを有している。そして遊技盤を止着するためのロックハンドルの回動操作における第２の位置ないしその近傍での止着のための押圧方向が、遊技盤の回動動作における第２の位置ないしその近傍での閉鎖のための押圧方向と概ね一致し、遊技盤の止着を解除するためのロックハンドルの回動動作における第２の位置ないしその近傍での止着解除のための引張り方向が、遊技盤の回動動作における前記第２の位置ないしその近傍での開放のための引張り方向と概ね一致する構成とした。
【０１０９】
換言すれば、本発明は、遊技盤が第２の位置ないしその近傍に位置した状態で行われるロックハンドルの止着のための操作方向あるいは止着解除のための操作方向が、遊技盤の第２の位置ないしその近傍での動作方向と概ね一致するように構成したものである。かかる構成としたことにより、ロックハンドルによる遊技盤の止着作業あるいは止着解除作業を遊技盤の回動動作との関係において一連の連続した作業形態として合理的に行うことができる。これにより、取付枠に対する遊技盤の取り付け作業あるいは取り外し作業の作業性を向上することが可能となる。
【０１１０】
（態様２）  「請求項１または態様１に記載の遊技機であって、  前記ロック操作手段は、前記遊技盤の前面における遊技領域から外れた領域に配置されていることを特徴とする遊技機。」
【０１１１】
態様２に記載の発明では、請求項１または態様１に記載の遊技機において、ロック操作手段は、遊技盤の前面における遊技領域から外れた領域に配置されている構成とした。なお、「遊技領域」とは、例えばパチンコ機の場合であれば、典型的には、遊技球の移動範囲を規定するために遊技盤前面に概ね円形状に配置されるレールによって囲まれる領域がこれに該当する。
【０１１２】
態様２の発明によれば、遊技盤の前面において、遊技領域から外れた領域、すなわち遊技に用いられないデッドスペースにロック操作手段が配置された遊技機が構成される。遊技盤が四角形に形成される場合、例えば左右の側縁上方領域には、相当な広さのデッドスペースが存在する。このデッドスペースをロック操作手段の配置スペースとして利用することで、当該ロック操作手段を、遊技盤を適正に止着する上で必要な大きさに設定することが可能となる。これにより、取付枠に対する遊技盤の止着能力を高めることができるとともに、止着操作あるいは止着解除操作の操作性を向上することが可能になる。なお、遊技領域から外れるデッドスペースについては、例えば遊技機の前面に配置されるガラス枠に電飾装置を設け、その電飾装置によって覆う設定とすることで、ガラス枠が閉じられた状態では、デッドスペースに配置されるロック操作手段を遊技者から合理的に隠蔽することが可能となる。
【０１１３】
（態様３）  「態様１または２に記載の遊技機であって、  前記遊技盤には、前記ロックハンドルを格納する凹部が形成されており、前記ロックハンドルが前記遊技盤を止着すべく回動操作されたときに前記凹部に格納される構成としたことを特徴とする遊技機。」
【０１１４】
態様３に記載の発明では、態様１または２に記載の遊技機において、遊技盤には、ロックハンドルを格納する凹部が形成されており、当該ロックハンドルが遊技盤を止着すべく回動操作されたときに凹部に格納される構成としている。かかる構成によれば、遊技盤が止着された状態では、遊技盤の前面に配置されるガラスあるいはガラス枠に対するロックハンドルの干渉を回避できる。なお「凹部に格納される」態様としては、ロックハンドルが遊技盤の前面に対して面一の状態で格納される態様のほか、前面よりも奥まった位置に格納される態様、あるいは前面から若干出っ張る態様を包含する。
【０１１５】
（態様４）  「遊技機本体部の取付枠と、前記取付枠に取り付けられる遊技盤とを備えた遊技機であって、  前記遊技盤は、その一側縁が前記取付枠の一側縁に結合されて当該取付枠に対して開いた第１の位置と閉じた第２の位置との間で開閉回動可能とされるとともに、当該遊技盤の回動動作用の取手を備えていることを特徴とする遊技機。」
【０１１６】
態様４に記載の発明によれば、遊技機本体部の取付枠と、取付枠に取り付けられる遊技盤とを備えた遊技機が構成される。遊技機としては、典型的には、パチンコ機やアレンジボール機等がこれに該当する。本発明に係る遊技機では、遊技盤は、その一側縁が前記取付枠の一側縁に結合されて当該取付枠に対して開いた第１の位置と閉じた第２の位置との間で開閉回動可能とされるとともに、当該遊技盤の回動動作用の取手を備えた構成とされる。
【０１１７】
なお、「一側縁」とは、典型的には、遊技機の前面側から見て左側縁がこれに該当するが、左側縁の他、右側縁あるいは下縁を包含する。また「結合」の態様としては、ピンとガイド溝とのはめ込みを介して回動自在に結合される態様、あるいはピンと孔とのはめ合いを介して回動自在に結合される態様、またはいわゆるヒンジ（蝶番）を介して回動自在に結合される態様等がこれに該当する。
【０１１８】
態様４に記載の発明では、遊技盤に取手を備えたことにより、この取手を用いて遊技盤を第１の位置と第２の位置との間で回動動作させることができる。一般に遊技盤は、取付枠に止着された閉鎖状態では、当該取付枠の前面に対して面一もしくは奥側（背面側）に引っ込んでいる。すなわち、取付枠内にはめ込み状に格納されており、前方へ引き出し難い構成となっている。しかるに、本発明によれば、このような格納状態に置かれる止着位置の遊技盤を、取手を用いて容易に引き出すことができる。
【０１１９】
（態様５）  「態様４に記載の遊技機であって、  前記取手は、前記遊技盤が第２の位置へ回動された状態において当該遊技盤を前記取付枠に解除自在に止着すべく当該遊技盤に回動操作可能に取り付けられるロックハンドルを兼用する構成としたことを特徴とする遊技機。」
【０１２０】
態様５に記載の発明では、態様４に記載の遊技機において、取手は、遊技盤が第２の位置へ回動された状態において当該遊技盤を取付枠に解除自在に止着すべく当該遊技盤に回動操作可能に備えられるロックハンドルを兼用する構成とした。かかる構成によれば、部品点数を減少することができるため、遊技盤面の限られた領域に配置スペースを合理的に確保することが可能となる。
【０１２１】
（態様６）  「態様５に記載の遊技機であって、  前記取手による前記遊技盤の回動動作における前記第２の位置ないしその近傍での閉鎖のための押圧方向は、前記ロックハンドルの回動操作における前記第２の位置ないしその近傍での止着のための押圧方向と概ね一致し、前記取手による前記遊技盤の回動動作における前記第２の位置ないしその近傍での開放のための引張り方向は、前記ロックハンドルの回動操作における前記第２の位置ないしその近傍での止着解除のための引張り方向と概ね一致する構成としたことを特徴とする遊技機。」
【０１２２】
態様６に記載の発明では、態様５に記載の遊技機において、取手による遊技盤の回動動作における第２の位置ないしその近傍での閉鎖のための押圧方向は、ロックハンドルの回動操作における第２の位置ないしその近傍での止着のための押圧方向と概ね一致し、取手による遊技盤の回動動作における第２の位置ないしその近傍での開放のための引張り方向は、ロックハンドルの回動操作における第２の位置ないしその近傍での止着解除のための引張り方向と概ね一致する構成とした。
【０１２３】
換言すれば、取手を用いて遊技盤を第１の位置と第２の位置との間で開閉回動動作させる場合において、第２の位置ないしその近傍での取手による動作方向が、第２の位置ないしその近傍で行われるロックハンドルによる遊技盤止着のための操作方向あるいは止着解除のための操作方向と概ね一致するように構成したものである。これにより作業者は、取手を用いて無駄のない連続した動作で遊技盤の取付作業あるいは取り外し作業を行うことができる。このため、作業性の向上を図ることができる。
【０１２４】
（態様７）  「態様４〜６のいずれかに記載の遊技機であって、  前記取手は、前記遊技盤の前面における遊技領域から外れた領域に配置されていることを特徴とする遊技機。」
【０１２５】
態様７に記載の発明では、態様４〜６のいずれかに記載の遊技機において、取手は、遊技盤の前面における遊技領域から外れた領域に配置される構成とした。「遊技領域」とは、例えばパチンコ機の場合であれば、典型的には、遊技球の移動範囲を規定するために遊技盤前面に概ね円形状に配置されるレールによって囲まれる領域がこれに該当する。
【０１２６】
態様７の発明によれば、遊技盤の前面において、遊技領域から外れた領域、すなわち遊技に用いられないデッドスペースに取手を配置した遊技機が構成される。遊技盤が四角形に形成される場合、例えば左右の側縁上方領域には、相当な広さのデッドスペースが存在する。このデッドスペースを取手の配置スペースとして利用することで、当該取手を、手で掴み易いサイズに設定することが可能となる。これにより、取付枠に対する遊技盤の回動動作を容易に行うことができる。
【０１２７】
（態様８）  「態様４〜７のいずれかに記載の遊技機であって、  前記遊技盤には凹部が形成されるとともに、当該凹部に前記取手が引き起こし可能に格納される構成としたことを特徴とする遊技機。」
【０１２８】
態様８に記載の発明では、態様
４〜７のいずれかに記載の遊技機において、遊技盤には凹部が形成され、当該凹部に取手が引き起こし可能に格納される構成としている。かかる構成によれば、遊技盤が取付枠に取り付けられた状態では、取手を遊技盤の凹部に格納することにより、当該取手が遊技盤の前面に配置されるガラスあるいはガラス枠に干渉することを防止でき、また遊技盤を第１の位置と第２の位置との間で回動動作させる場合にあっては、取手を凹部から引き起こして遊技盤の回動動作に使用することを可能とするものであり、これにより合理的な構成の取手が提供される。
【０１２９】
（態様９）  「遊技機本体部の取付枠と、前記取付枠に取り付けられる遊技盤とを備えた遊技機であって、  前記遊技盤は、その一側縁が前記取付枠の一側縁に結合されて当該取付枠に対して開いた第１の位置と閉じた第２の位置との間で回動可能とされるとともに、当該第２の位置で前記取付枠に止着される構成とされ、  前記遊技盤に電気接点が設けられており、当該電気接点は、前記遊技盤の第１の位置から第２の位置への回動動作に基づいて前記取付枠側に設けられた電気接点と電気的に接続されることを特徴とする遊技機。」
【０１３０】
態様９に記載の発明によれば、遊技機本体部の取付枠と、取付枠に取り付けられる遊技盤とを備えた遊技機が構成される。遊技機としては、典型的には、パチンコ機やアレンジボール機等がこれに該当する。本発明に係る遊技機では、遊技盤は、その一側縁が取付枠の一側縁に結合されて当該取付枠に対して開いた第１の位置と閉じた第２の位置との間で回動可能とされるとともに、当該第２の位置で取付枠に止着される構成とされている。また、遊技盤に電気接点が設けられており、当該電気接点は、遊技盤の第１の位置から第２の位置への回動動作に基づいて取付枠側に設けられた電気接点と電気的に接続される構成としている。
【０１３１】
なお、「一側縁」とは、典型的には、遊技機の前面側から見て左側縁がこれに該当するが、左側縁の他、右側縁あるいは下縁を包含する。また「結合」の態様としては、ピンとガイド溝とのはめ込みを介して回動自在に結合される態様、あるいはピンと孔とのはめ合いを介して回動自在に結合される態様、またはいわゆるヒンジ（蝶番）を介して回動自在に結合される態様等がこれに該当する。かかる構成により、遊技盤取付作業において、遊技盤の第１の位置から第２の位置への回動動作を行うだけで、当該遊技盤側の電気接点と取付枠側の電気接点との接続作業が同時に行なわれることになり、遊技盤の取り付けに関する作業性をより向上できる。
【０１３２】
（態様１０）  「態様９に記載の遊技機であって、  前記電気接点の少なくとも一つは、他の電気接点に対する相対的な位置関係が調整可能に構成されていることを特徴とする遊技機。」
【０１３３】
態様１０に記載の発明によれば、態様９に記載の遊技機において、電気接点の少なくとも一つは、他の電気接点に対する相対的な位置関係が調整可能に構成される。これにより、遊技盤、取付枠間の組み付け誤差によって電気接点同士の相対位置関係にずれが生じるような場合に容易に対処することが可能な構成が得られることとなる。
【０１３４】
（態様１１）  「態様９または１０に記載の遊技機であって、  前記遊技盤側の電気接点は、前記取付枠側の電気接点とワンタッチ状に係合するべく、互いに雌雄形状とされた一対のコネクタとして構成されることを特徴とする遊技機。」
【０１３５】
態様１１に記載の発明によれば、態様９または１０に記載の遊技機における遊技盤側の電気接点は、取付枠側の電気接点とワンタッチ状に係合するべく、互いに雌雄形状とされた一対のコネクタとして構成されている。本発明における「ワンタッチ状に係合」の意義としては、雌雄形状のいずれかに形成された遊技盤のコネクタが雌雄形状の他方に形成された相手方のコネクタに係合することで、コネクタに接続された電気接点が一度に接合される態様を広く含むものとする。かかる構成により、遊技盤を取付枠の止着すべき位置へ回動させる作業において、作業者は電気配線の接続作業を特に意識することなく、単に遊技盤の回動動作を行うだけで、当該遊技盤に関する電気配線の接続を行うことができ、遊技盤の取り付けに関する作業性を一層向上できる。
【０１３６】
（態様１２）「態様１１に記載の遊技機であって、  前記コネクタの少なくとも１つは、前記遊技盤または前記取付枠に取り付けられるコネクタホルダに対し、当該コネクタの係合方向と交差する面方向への移動を許容された状態で保持され、当該移動許容状態は、前記コネクタのコネクタ本体部と、前記コネクタホルダに形成されて前記コネクタ本体部に外側から嵌合するコネクタ保持枠部との間に形成された隙間により構成されていることを特徴とする遊技機。」
【０１３７】
態様１２に記載の発明によれば、態様１１に記載の遊技機におけるコネクタの少なくとも１つは、遊技盤または取付枠に取り付けられるコネクタホルダに対し、当該コネクタの係合方向と交差する面方向への移動を許容された状態で保持される構成とされる。そしてコネクタの移動許容状態は、コネクタのコネクタ本体部と、コネクタホルダに形成されてコネクタ本体部に外側から嵌合するコネクタ保持枠部との間に形成された隙間により構成されている。なお「面方向」は、例えば、遊技機の前面側から見て、上下方向と左右方向または上下方向と前後方向がこれに対応する。かかる構成によれば、遊技盤、取付枠間の組み付け誤差によってコネクタ士の相対位置関係にずれが生じるような場合において、隙間の範囲内でのコネクタの変位によって位置ずれに容易に対処することが可能となる。
【０１３８】
（態様１３）  「態様１１に記載の遊技機であって、  前記コネクタの少なくとも１つは、前記遊技盤または前記取付枠に取り付けられるコネクタホルダに対し、当該コネクタの係合方向と交差する面方向への移動を許容された状態で保持され、当該移動許容状態は、前記コネクタと当該コネクタホルダとのいずれか一方に形成されたピンと、他方に形成された当該ピンより大径のピン孔とのはめ合いにより構成されていることを特徴とする遊技機。」
【０１３９】
態様１３に記載の発明によれば、態様１１に記載の遊技機におけるコネクタの少なくとも１つは、遊技盤または取付枠に取り付けられるコネクタホルダに対し、当該コネクタの係合方向と交差する面方向への移動を許容された状態で保持される構成とされる。そしてコネクタの移動許容状態は、コネクタと当該コネクタホルダとのいずれか一方に形成されたピンと、他方に形成された当該ピンより大径のピン孔とのはめ合いにより構成されている。なお「面方向」は、例えば、遊技機の前面側から見て、上下方向と左右方向または上下方向と前後方向がこれに対応する。かかる構成によれば、遊技盤、取付枠間の組み付け誤差によってコネクタ同士の相対位置関係にずれが生じるような場合において、ピンとピン孔との相対的変位によって容易に位置ずれに対処することが可能となる。  特にピンを形成するコネクタまたはコネクタホルダを合成樹脂製としてピンを一体に形成する構成とすれば、製造および取付作業の手間が少なくて済む。
【０１４０】
（態様１４）  「態様１２または１３に記載の遊技機であって、「前記コネクタホルダは、前記コネクタのコネクタ本体部に外側から嵌合されるコネクタ保持枠部を備えており、当該コネクタ保持枠部の内周面と前記コネクタ外周面との間に形成された隙間によって、あるいはコネクタ保持枠部とコネクタとのいずれか一方に形成されたピンと、他方に形成された当該ピンより大径のピン孔とのはめ合いによって、コネクタの係合方向と交差する面方向への移動を許容する構成とされており、しかも前記コネクタ保持枠部は、前記コネクタホルダに形成された枠取付部に差し込むことで、当該枠取付部と当該コネクタ保持枠部との間に設けられた凹凸形状を介して当該枠取付部に係止される構成としたことを特徴とする遊技機。」
【０１４１】
態様１４に記載の発明では、態様１２または１３に記載の遊技機において、コネクタホルダは、コネクタのコネクタ本体部に外側から嵌合されるコネクタ保持枠部を備えており、当該コネクタ保持枠部の内周面とコネクタ外周面との間に形成された隙間によって、あるいはコネクタ保持枠部とコネクタとのいずれか一方に形成されたピンと、他方に形成された当該ピンより大径のピン孔とのはめ合いによって、コネクタの係合方向と交差する面方向への移動を許容する構成とされている。これにより、遊技盤の取付枠への取付作業時において、例えば、遊技盤と取付枠との間の組み付け誤差等の影響によるコネクタ相互間の相対的位置ずれが生じたような場合に、その位置ずれを吸収するように相対位置が自動調整される。このため、コネクタ相互の係合が円滑に行なわれる。
【０１４２】
また態様１４に記載の発明では、コネクタ保持枠部は、コネクタホルダに形成された枠取付部に差し込むことで、当該枠取付部と当該コネクタ保持枠部との間に設けられた凹凸形状を介して当該枠取付部に係止される構成としている。本発明における「凹凸形状を介して係止」の意義としては、典型的には、凸部材としての爪が、孔または溝を有する凹部材の孔縁または溝縁に弾性変形を利用して係止する態様がこれに該当する。  かかる構成によれば、コネクタのコネクタホルダへの組み付け作業を効率的に行うことができる。これにより、組み付け作業の作業性を向上できる。
【０１４３】
（態様１５）  「態様１１〜１４のいずれかに記載の遊技機であって、  前記コネクタの少なくとも一つは、コネクタホルダを介して係合方向と交差する面方向の移動を許容された状態で保持されるとともに、前記コネクタホルダには、前記コネクタを、当該コネクタに連なる電線の弾性撓みに起因する弾性力に対応した付勢力を作用させることにより当該コネクタの向きを矯正する付勢手段が備えられていることを特徴とする遊技機。」
【０１４４】
態様１５の発明では、態様１１〜１４のいずれかに記載の遊技機において、コネクタの少なくとも一つは、コネクタホルダを介して係合方向と交差する面方向の移動を許容された状態で保持されている。そしてコネクタホルダには、コネクタを、当該コネクタに連なる電線の弾性撓みに起因する弾性力に対応した付勢力を作用させることにより当該コネクタの向きを矯正する付勢手段が備えられている。本発明における「付勢手段」としては、コネクタホルダに加圧板を一体に形成し、当該加圧板でコネクタの側面を弾発的に加圧付勢して矯正する態様、コネクタホルダとコネクタとの間に板バネ、コイルバネ、皿バネ、弾性ゴム等の弾性部材を介在し、それによりコネクタを加圧付勢して強制する態様を広く包含する。
【０１４５】
コネクタホルダによって面方向の移動を許容された状態で保持されるコネクタは、当該コネクタに連なる電線を折り曲げて取り回したとき、当該電線の弾性撓みに起因する弾性力によって本来の向きとは異なる方向に向きが変わり、その結果、係合の支障となる可能性がある。本発明では、コネクタに対して電線の弾性撓みに起因する弾性力に対応した付勢力を作用させることで、コネクタの向きが適正方向となるように矯正したものである。これにより、電線の弾性撓みに起因する弾性力による弊害を解消した上で、コネクタの遊技盤と取付枠との間の組み付け誤差等の影響によるコネクタ相互間の相対的位置ずれが生じたような場合には、その位置ずれを吸収するように相対位置が自動調整される。このため、コネクタ相互の係合が円滑に行なわれる。
【０１４６】
（態様１６）  「態様１１〜１５のいずれかに記載の遊技機であって、  前記遊技盤には、第２の位置で当該遊技盤を前記取付枠に解除自在に止着するロック操作手段が備えられ、  前記ロック操作手段による前記遊技盤の前記取付枠に対する止着は、当該遊技盤を当該取付枠に押し付ける形態でなされる構成とされ、前記一対のコネクタは、前記ロック操作手段の配置箇所に対応する箇所に配置されるとともに、当該コネクタの係合方向が当該ロック操作手段による前記遊技盤の押し付け方向と概ね一致していることを特徴とする遊技機。」
【０１４７】
態様１６に記
載の発明では、態様１１〜１５のいずれかに記載の遊技機において、遊技盤には、第２の位置で当該遊技盤を取付枠に解除自在に止着するロック操作手段が備えられている。そしてロック操作手段による遊技盤の取付枠に対する止着は、遊技盤を取付枠に押し付ける形態でなされる構成とされており、また一対のコネクタは、ロック操作手段の配置箇所に対応する箇所に配置されるとともに、当該コネクタの係合方向が当該ロック操作手段による遊技盤の押し付け方向と概ね一致する構成としている。かかる構成によれば、ロック操作手段による遊技盤の押し付け力がコネクタに対して当該コネクタの係合力として合理的に伝達されることになり、これによりコネクタの係合を確実に行うことができる。なお、「配置箇所に対応する箇所」としては、典型的には、遊技盤の前面にロック操作手段を配置した場合であれば、遊技盤の背面における当該ロック操作手段の概ね真後ろ部分がこれに該当する。
【０１４８】
（態様１７）  「遊技機本体部の取付枠と、前記取付枠に取り付けられる遊技盤とを備えた遊技機であって、  雌雄形状に形成された互いに係合可能な対をなす電気的コネクタの一方が前記取付枠に、他方が前記遊技盤に取付けられ、前記取付枠に対する前記遊技盤の取付動作に基づいて前記一対のコネクタが係合される構成とされ、  前記遊技盤には、当該遊技盤を前記取付枠に解除自在に止着するロック操作手段が備えられ、前記ロック操作手段による前記遊技盤の前記取付枠に対する止着は、当該遊技盤を当該取付枠に押し付ける形態でなされる構成とされ、前記一対のコネクタは、前記ロック操作手段の配置箇所に対応する箇所に配置されるとともに、当該コネクタの係合方向が当該ロック操作手段による前記遊技盤の押し付け方向と概ね一致していることを特徴とする遊技機。」
【０１４９】
態様１７に記載の発明によれば、遊技機本体部の取付枠と、取付枠に取り付けられる遊技盤とを備えた遊技機が構成される。遊技機としては、典型的には、パチンコ機やアレンジボール機等がこれに該当する。本発明に係る遊技機では、雌雄形状に形成された互いに係合可能な対をなす電気的コネクタの一方が取付枠に、他方が遊技盤に取付けられ、取付枠に対する遊技盤の取付動作に基づいて一対のコネクタが係合される構成とされている。本発明における「遊技盤の取付動作」としては、遊技盤を取付枠に取付けるために、当該遊技盤を予め定められた移動軌跡を経て取付枠側へ移動させることによって、取付枠の規定の取付位置に取付ける態様を包含する。より詳しくは、例えば遊技盤を、取付枠に対して平行状態を維持した状態で当該取付枠の前面側から枠内にはめ込んで取付ける態様、または遊技盤の一側縁を取付枠の一側縁に結合した後、当該遊技盤を取付枠側へ回動させて取付ける態様、あるいは取付枠に遊技盤を保持するための保持枠を予め取付け、その保持枠に遊技盤を保持させた状態で取付枠側へ回動させて取付ける態様等、広く包含する。
【０１５０】
また、態様１７の発明では、遊技盤には、当該遊技盤を前記取付枠に解除自在に止着するロック操作手段が備えられ、当該ロック操作手段による遊技盤の取付枠に対する止着は、当該遊技盤を当該取付枠に押し付ける形態でなされる構成とされている。また一対のコネクタは、ロック操作手段の配置箇所に対応する箇所に配置されるとともに、当該コネクタの係合方向が当該ロック操作手段による遊技盤の押し付け方向と概ね一致している構成とされる。かかる構成によれば、ロック操作手段による遊技盤の押し付け力がコネクタに対して当該コネクタの係合力として合理的に伝達されることになり、これによりコネクタの係合を確実に行うことができる。なお、「配置箇所に対応する箇所」としては、典型的には、遊技盤の前面にロック操作手段を配置した場合であれば、遊技盤の背面における当該ロック操作手段の概ね真後ろ部分がこれに該当する。
【０１５１】
（態様１８）  「遊技盤と、前記遊技盤が取付けられる遊技機本体部側の取付枠と、前記遊技盤の重量を支持した状態で前記取付枠に対して開いた第１の位置と閉じた第２の位置との間で概ね水平に回動可能とされた遊技盤支持部材とを有し、  前記第１の位置において前記遊技盤支持部材に取付けられた前記遊技盤は、該遊技盤支持部材を介して前記第２の位置へ回動し、当該第２の位置において前記取付枠に取付けられることを特徴とする遊技機。」      
【０１５２】
態様１８に記載の発明によれば、遊技盤と、当該遊技盤が取付けられる遊技機本体部側の取付枠と、遊技盤の重量を支持した状態で当該取付枠に対して開いた第１の位置と閉じた第２の位置との間で概ね水平に回動可能とされた遊技盤支持部材とを有する遊技機が構成される。遊技機としては、典型的にはパチンコ機やアレンジボール機等がこれに該当する。本発明に係る遊技機においては、上記第１の位置において遊技盤支持部材に取付けられた遊技盤は、その重量を支持された状態を維持しつつ、当該遊技盤支持部材を介して第２の位置へ回動され、さらに当該第２の位置において取付枠に取付けられるよう構成される。
【０１５３】
一般に、遊技盤は、板自体が重いことに加え、表示装置や入賞装置、あるいは当該装置を駆動するための電装機器ないし制御基板等が配置される関係で、遊技機を構成する部材の中でも相当の重い物となる。そのため、遊技機製造時、あるいは遊技盤交換時の作業性を高度に合理化する要請が高い部材であるといえる。本発明では、遊技盤を、取付枠から離間して干渉されにくい位置において遊技盤支持部材に取付けることが可能である。このとき遊技盤支持部材が遊技盤の重量を支持する構成により、作業者は比較的重量のある遊技盤を手で支持する必要がない。そして遊技盤支持部材が遊技盤の重量を支持したままの状態で、取付枠に対して第１の位置から第２の位置へと遊技盤を回動させ、第２の位置で遊技盤を取付枠に止着することができ、遊技盤を本体部へ取付ける際の作業性を合理的に向上することが可能となる。
【０１５４】
なお本発明に係る遊技盤支持部材は、遊技盤が取付けられる際、当該遊技盤の下縁の全部に当接してその重量を支持する態様、遊技盤の下縁の一部あるいは側縁の一部に当接してその重量を支持する態様のいずれも好適に包含するものとする。
【０１５５】
（態様１９）  「態様１８に記載の遊技機であって、  前記遊技盤に電気接点が設けられており、当該電気接点は、前記遊技盤が前記遊技盤支持部材に取付けられる際に当該取付動作に基づいて前記遊技盤支持部材に設けられた電気接点と電気的に接続され、または前記遊技盤が前記遊技盤支持部材に支持された状態で前記第２の位置へ回動した際に、当該第２の位置への回動動作に基づいて前記取付枠または遊技機本体部側に設けられた電気接点と電気的に接続されることを特徴とする遊技機。」
【０１５６】
態様１９に記載の発明によれば、態様１８に記載の遊技機における遊技盤に電気接点が設けられており、当該電気接点は、遊技盤が遊技盤支持部材に取付けられる際に、当該取付動作に基づいて、遊技盤支持部材に設けられた電気接点と電気的に接続されるように構成される。あるいは当該電気接点は、遊技盤が遊技盤支持部材に支持された状態で前記第２の位置へ回動した際に、当該第２の位置への回動動作に基づいて、取付枠または遊技機本体側に設けられた電気接点と電気的に接続されるように構成される。遊技盤を遊技盤支持部材を介して取付枠に取付ける際に、遊技盤を遊技盤支持部材に取付ける動作、ないし遊技盤を第１の位置から第２の位置へ回動させる動作に基づいて、電気接点の接合作業が同時に行えるため、さらに合理的な遊技盤の取付けに資することになる。
【０１５７】
なお本発明は、遊技盤を遊技機に取付ける際の動作を利用しつつ、遊技盤に対する電気的接続作業を行うことを要旨とするものであり、遊技盤の電気接点は、遊技盤支持部材の電気接点とのみ接続される態様、取付枠および／または遊技機本体部側の電気接点と接続される態様、それらのいずれの電気接点とも接続される態様の全てを包含することが可能である。
【０１５８】
（態様２０）  「態様１９に記載の遊技機であって、  前記遊技盤側の電気接点は、前記遊技盤の遊技盤支持部材への取付動作または前記第２の位置への回動動作により、前記遊技盤支持部材側の電気接点、または前記取付枠側の電気接点あるいは遊技機本体側の電気接点とワンタッチ状に係合するべく互いに雌雄形状とされた一対のコネクタとして構成されることを特徴とする遊技機。」
【０１５９】
態様２０に記載の発明によれば、態様１９に記載の遊技機における遊技盤側の電気接点は、遊技盤の遊技盤支持部材への取付動作または第２の位置への回動動作により、遊技盤支持部材側の電気接点、または取付枠側の電気接点あるいは遊技機本体側の電気接点とワンタッチ状に係合するべく、互いに雌雄形状とされた一対のコネクタとして構成されている。本発明における「ワンタッチ状に係合」の意義としては、雄雌形状のいずれかに形成された遊技盤のコネクタが、雄雌形状の他方に形成された相手方のコネクタに係合することで、コネクタに配設された電気接点が一度に接合される態様を広く含むものとする。かかる構成により、遊技盤取付作業において、作業者は電気配線の接続作業を特に意識することなく、単に遊技盤の取付動作を行うだけで、当該遊技盤に関する電気配線の接続を行うことができ、遊技盤の取付けに関する合理性を一層向上することができる。
【０１６０】
（態様２１）  「態様１９または２０に記載の遊技機であって、  前記電気接点の少なくとも一つは、前記遊技盤に対する前記遊技盤支持部材または前記取付枠の配置誤差に対応するように他の電気接点に対する相対的な位置関係が調整可能に構成されていることを特徴とする遊技機。」
【０１６１】
態様２１に記載の発明によれば、態様１９または２０に記載の遊技機において、電気接点の少なくとも一つは、遊技盤に対する遊技盤支持部材または取付枠の配置誤差に対応するように、他の電気接点に対する相対的な位置関係が調整可能に構成される。これにより、遊技盤、遊技盤支持部材、取付枠および遊技機本体といった各部材要素間の組み付け誤差によって電気接点同士の相対位置関係にずれが生じるような場合に容易に対処することが可能な構成が得られることとなる。
【０１６２】
（態様２２）  「態様１８〜２１のいずれかに記載の遊技機であって、  前記遊技盤支持部材は、さらに当該遊技盤支持部材に取付けられた前記遊技盤の上縁部に当接することにより、前記遊技盤がその下端部周りに傾動するのを規制する部材が一体に形成されていることを特徴とする遊技機。」
【０１６３】
態様２２に記載の発明によれば、態様１８〜２１のいずれかの遊技機における遊技盤支持部材につき、さらに当該遊技盤支持部材に取付けられた遊技盤の上縁部に当接することにより、遊技盤がその下端部周りに傾動するのを規制する遊技盤傾動規制部が一体に形成される。遊技盤支持部材が遊技盤の重量を支持した状態で、さらに遊技盤支持部材に一体状とされた遊技盤傾動規制部が遊技盤の上縁部に当接することで、遊技盤の上部下部の双方を支持可能となる。これによって、作業中に遊技盤がバランスを崩して、遊技盤の下端部周りに傾動するリスクを回避することが可能となる。
【０１６４】
（態様２３）  「態様２２に記載の遊技機であって、  前記遊技盤傾動規制部材は、弾発力を介して前記遊技盤に密着することを特徴とする遊技機。」
【０１６５】
態様２３に記載の発明によれば、態様２２に記載の遊技機における遊技盤傾動規制部材は、弾発力を介して前記遊技盤に密着するよう構成される。かかる構成により遊技盤傾動規制部材による遊技盤上縁部の保持の確実性を増すことが可能となる。
【０１６６】
（態様２４）  「態様１８〜２３のいずれかに記載の遊技機であって、  記遊技盤支持部材は、前記取付枠の側縁への取付部を中心に概ね水平面内に回動する回動部と、前記遊技盤の重量を支持可能に当該回動部下部から交差状に延在する遊技盤支持部と、前記遊技盤の上縁部に当接して前記遊技盤の傾動を規制するべく前記回動部上部から交差状に延在する傾動規制部とが一体状に形成され
るとともに、前記回動部、遊技盤支持部および傾動規制部とは、少なくとも前記遊技盤の側縁部を収容可能な凹部を有することを特徴とする遊技機。」
【０１６７】
態様２４に記載の発明によれば、上記態様１８〜２３のいずれかの遊技機における遊技盤支持部材は、一体状に形成された回動部、遊技盤支持部および傾動規制部を有するとともに、少なくとも遊技盤の側縁部を収容可能な凹部が構成される。作業者は遊技盤の側縁部を当該凹部に挿入して収容させることで遊技盤を容易に遊技盤支持部材にセットすることが可能となる。しかも凹部の上部側が遊技盤の不用意な傾動を規制するように機能するため、遊技盤の保持能力を合理的に確保しつつ、作業性を向上することが可能である。なお凹部は、遊技盤の側縁部を含む一部を収容する態様、および遊技盤全部を収容する態様のいずれも包含する。
【０１６８】
（態様２５）  態様２４に記載の遊技機であって、  前記遊技盤を収容する凹部の開口部には、当該凹部への遊技盤誘導手段が設けられていることを特徴とする遊技機。」
【０１６９】
態様２５に記載の発明によれば、上記態様２４に記載の遊技機における遊技盤収容のための凹部は、その開口部に当該凹部への遊技盤誘導手段を有するように構成される。この遊技盤誘導手段を介して作業者は遊技盤を遊技盤支持部材の収容凹部に容易に収容させることが可能となる。なお誘導手段の具体的態様としては、例えば収容凹部の開口部を、収容部よりも幅広の状態とするように拡幅する等の構成、あるいは遊技盤を拗らせずに確実に収容するべく、開口部にガイド溝を形成するといった構成が採用可能である。
【０１７０】
（態様２６）  「態様１８〜２５のいずれかに記載の遊技機であって、  前記遊技盤が前記遊技盤支持部材へ正常に取り付けられたか否かを表示するための手段が配置されていることを特徴とする遊技機。」
【０１７１】
態様２６に記載の発明によれば、上記態様１８〜２５のいずれかの遊技機における遊技盤が、遊技盤支持部材へ正常に取付けられたか否かを表示する手段が配置される。これにより遊技盤の遊技盤支持部材への取付作業の確実性が担保されることとなる。
【０１７２】
（態様２７）  「態様２６に記載の遊技機であって、  前記表示手段は、前記遊技盤支持部材の所定位置に形成された開口部と、前記遊技盤の所定位置に配された正常取付状態を示す符号とを有し、前記遊技盤が前記遊技盤支持部材へ正常に取付けられた際に前記符号が前記開口部に臨むように構成することを特徴とする遊技機。」
【０１７３】
態様２７に記載の発明によれば、上記態様２６に記載の遊技機における表示手段につき、遊技盤支持部材の所定位置に形成された開口部と、遊技盤の所定位置に配された正常取付状態を示す符号とを有するよう構成される。そして遊技盤が遊技盤支持部材へ正常に取付けられた際には、当該符号が開口部に臨むように構成する。これによって遊技盤の遊技盤支持部材への取付けの正確性を目視で確認することが可能となり、遊技盤の遊技盤支持部への取付作業の合理化に資することとなる。
【０１７４】
（態様２８）  「態様１８〜２７のいずれかに記載の遊技機であって、  前記遊技盤支持部材を解除自在に前記第１の位置に保持する手段が設けられていることを特徴とする遊技機。」
【０１７５】
態様２８に記載の発明によれば、上記態様１８〜２７のいずれかの遊技機において、遊技盤支持部材を解除自在に第１の位置に保持する手段を設定する。遊技盤支持部材を第１の位置に保持することで、第１の位置における遊技盤支持部材への遊技盤の取付作業が容易になるようにアシストすることが可能となる。
【０１７６】
（態様２９）  「態様１８〜２８のいずれかに記載の遊技機であって、  前記遊技盤を前記取付枠に止着するためのロック手段を有し、当該ロック手段は、前記遊技盤が水平面に回動して前記取付枠から離脱するのを規制するとともに、前記遊技盤に対して上下方向に付勢力を作用することを特徴とする遊技機。」
【０１７７】
態様２９に記載の発明によれば、上記態様１８〜２８のいずれかの遊技機において、遊技盤を取付枠に止着するためのロック手段が配される。当該ロック手段は、遊技盤が水平方向に回動して取付枠から離脱するのを規制するとともに、遊技盤に対して上下方向に付勢力を作用するよう構成される。このロック手段による上下方向への付勢力を介することで、遊技盤を取付枠にロックする際、かかるロック動作によって遊技盤を当該取付枠に密着状に止着することが可能となり、合理的な遊技盤の取付枠への止着作業を行うことが可能となる。
【０１７８】
（態様３０）  「態様１８〜２９のいずれかに記載の遊技機であって、  前記遊技盤を前記取付枠に解除自在に止着するためのロック手段を有し、当該ロック手段は、前記遊技盤の前記取付枠への止着を解除する際に、当該遊技盤を前記取付枠から水平方向に離脱させる付勢力を作用することを特徴とする遊技機。」
【０１７９】
態様３０に記載の発明によれば、上記態様１８〜２９のいずれかの遊技機につき、さらに遊技盤を取付枠に解除自在に止着するためのロック手段が配される。このロック手段は、遊技盤の前記取付枠への止着を解除する際に、遊技盤を取付枠から水平方向に離脱させる付勢力を作用するよう構成する。従って上記作業とは反対に、遊技盤を取付枠から離脱させる場合に、遊技盤と取付枠とのロックを解除すると遊技盤が取付枠から自然と離脱するように構成することが可能となり、遊技盤の取付枠からの離脱作業を容易なものとする。とりわけ本発明は、遊技盤が取付枠に密接状に止着されるとともに、遊技機の背面側に作業者の手が入りにくい、いわゆるクローズタイプの遊技機において有用である。
【符号の説明】
【０１８０】
１０１  遊技機１０３  遊技機本体部１１１  取付枠（取付枠）１１３  回転ヒンジの回動位置規制突起１１５  遊技盤上下付勢機構付きロック手段１１７  ロックハンドル１１９  遊技盤押し出し機構付きロック手段１２１  ロックハンドル１３１  遊技盤１３３  遊技領域１３５  表示装置取付部１３７  遊技盤側コネクタ１３９  複数の電気接点１４１  正常取付状態表示記号１４３  上下付勢ロック用係止部１５１  遊技盤支持部材１５３  回転ヒンジ部材１５５  回動部１５７  遊技盤支持部１５９  遊技盤傾動規制部１６１  付勢凸部１６３  誘導部１７１  遊技盤収容部１７３  回転ヒンジ側コネクタ１７５  複数の電気接点１７７  回転ヒンジ側コネクタ取付孔１７９  正常取付状態表示窓２０１  遊技機２０３  遊技機本体２０５  外枠２１１  前面枠２１１ａ  取付枠２１３  固定金具２１５  ピンガイド溝２１５ａ  開口部２１５ｂ  直線領域部２１５ｃ  折返し部２１５ｄ  ピン誘導部２２１  遊技盤２２１ａ  係止部２２１ｂ  凹部２２３  遊技領域２２５  固定金具２２７  取付ピン２２９  ロック孔２２９ａ  孔周縁部２３７ａ  遊技盤側コネクタ２３７ａ１  フランジ部２３７ａ２  コネクタ本体部２３７ｂ  遊技盤側コネクタ２３７ｂ１  フランジ部２３７ｂ２  コネクタ本体部２４１  取付枠側ロック手段２４３  ロックハンドル２４５  水平軸２５１  遊技盤側ロック手段２５３  ロックハンドル２５３ａ  ロック部２５３ｂ  操作摘み２５３ｃ  係止爪２５５  水平軸２５７  係止片２６１  コネクタホルダ２６３  支軸２６５  プレート２６７  ピン係合溝２７３ａ  取付枠側コネクタ２７３ｂ  取付枠側コネクタ２７５  コネクタホルダ２７５ａ  係合溝２７５ｂ  枠取付部２７５ｃ  係止溝２７７  コネクタ保持枠部２７７ａ  係止爪２７８  ビス２７９  コネクタホルダ２７９ａ  コネクタ保持枠部２７９ｂ  フランジ部２７９ｃ  係止爪２７９ｄ  矯正板２８１  ピン２８３  ピン孔２９１  ピン２９３  ピン孔３１３  固定金具３１５  ピンガイド溝３１５ａ  開口部３１７  ストッパ３２７  取付ピン３３１  切欠４１３  固定金具４１５  ピンガイド溝４１５ａ  開口部４１５ｂ  円形部４２７  取付ピン４２７ａ  平面部
【図１】
2010115509.tif 000003
【図２】
2010115509.tif 000004
【図３】
2010115509.tif 000005
【図４】
2010115509.tif 000006
【図５】
2010115509.tif 000007
【図６】
2010115509.tif 000008
【図７】
2010115509.tif 000009
【図８】
2010115509.tif 000010
【図９】
2010115509.tif 000011
【図１０】
2010115509.tif 000012
【図１１】
2010115509.tif 000013
【図１２】
2010115509.tif 000014
【図１３】
2010115509.tif 000015
【図１４】
2010115509.tif 000016
【図１５】
2010115509.tif 000017
【図１６】
2010115509.tif 000018
【図１７】
2010115509.tif 000019
【図１８】
2010115509.tif 000020
【図１９】
2010115509.tif 000021
【図２０】
2010115509.tif 000022
【図２１】
2010115509.tif 000023
【図２２】
2010115509.tif 000024
【図２３】
2010115509.tif 000025
【図２４】
2010115509.tif 000026
【図２５】
2010115509.tif 000027
【図２６】
2010115509.tif 000028
【図２７】
2010115509.tif 000029
【図２８】
2010115509.tif 000030
【図２９】
2010115509.tif 000031
【図３０】
2010115509.tif 000032
【図３１】
2010115509.tif 000033
【図３２】
2010115509.tif 000034
【図３３】
2010115509.tif 000035